(57)【特許請求の範囲】
【請求項１】
ユーザ端末（ＵＥ）の多重接続状態を判断して直交性と関連した情報及び直交性割当方式を指示することができるサイクリックシフトパラメータを決定し、
前記決まったサイクリックシフトパラメータを前記ユーザ端末に送信することを含み、
前記直交性と関連した情報は、レイヤ間の直交性保証及びユーザ端末間を区分するための用途のうち、少なくとも１つの用途に使われる直交性カバーコード（ＯＣＣ：orthogonal cover code）を含み、かつ前記サイクリックシフトパラメータにより指示され、
前記直交性割当方式は、前記サイクリックシフトパラメータによって同一方式あるいは非同一方式に決まり、
前記ユーザ端末がＳＵ−ＭＩＭＯ（Single User Multiple Input Multiple Output）状況であれば、前記非同一方式に適用される前記ＣＳパラメータを決定し、前記ユーザ端末がＭＵ−ＭＩＭＯ（Multi User Multiple Input Multiple Output）状況であれば、前記
同一方式に適用される前記ＣＳパラメータを決定することを特徴とする、サイクリックシフト（ＣＳ）パラメータを送信する方法。
【請求項２】
ＭＵ−ＭＩＭＯ状況の第１ユーザ端末、第２ユーザ端末に対してサイクリックシフトパラメータを決定し、
前記第１ユーザ端末と前記第２ユーザ端末に対してサイクリックパラメータを決定することには
前記第１ユーザ端末が受信する第１サイクリックシフトパラメータを決定し、
前記第２ユーザ端末が受信する第２サイクリックシフトパラメータを決定することが含まれ、
前記第１サイクリックシフトパラメータで算出される前記直交性と関連した第１情報は、前記第２サイクリックシフトパラメータで算出される前記直交性と関連した第２情報と互いに異なることを特徴とする、請求項１に記載の方法。
【請求項３】
前記第１ユーザ端末に割り当てられた帯域と前記第２ユーザ端末に割り当てられた帯域とは同一でないことを特徴とする、請求項２に記載の方法。
【請求項４】
前記同一方式は、前記ユーザ端末の全てのレイヤに全て同一な直交性カバーコードを割り当てる方式であり、前記非同一方式は、第１レイヤと第２レイヤに対しては第１直交性カバーコードを、第３レイヤと第４レイヤに対しては第２直交性カバーコードを割り当てるか、あるいは第１レイヤと第２レイヤに対しては第２直交性カバーコードを、第３レイヤと第４レイヤに対しては第１直交性カバーコードを割り当てる方式であることを特徴とする、請求項１に記載の方法。
【請求項５】
Ｎ（Ｎは、整数）個のレイヤに対して参照信号を生成し、これを転送する端末にサイクリックシフトパラメータを転送する方法であって、
各々のレイヤに対する参照信号生成に用いられる直交性カバーコード（orthogonal cover code：ＯＣＣ）を指示するサイクリックシフトパラメータを決定し、
前記決定されたサイクリックシフトパラメータを前記端末に送信することを含み、
前記サイクリックシフトパラメータは、共通集合が空集合である第１集合または第２集合の元となり、第１の直交性カバーコードを第２レイヤは第１レイヤと同一に割り当てて、前記第１の直交性カバーコードと異なる第２の直交性カバーコードを第３レイヤは第４レイヤと同一に割り当てる場合、前記第１集合のいずれか１つの元が前記サイクリックシフトパラメータとして決まり、
前記直交性カバーコードを全てのレイヤに対して同一に割り当てる場合には、前記第２集合のいずれか１つの元が前記サイクリックシフトパラメータとして決まることを特徴とする、方法。
【請求項６】
前記サイクリックシフトパラメータは、第１レイヤのサイクリックシフトパラメータ値が各々０、６、３、４、２、８、１０、９であることを指示する０００、００１、０１０、０１１、１００、１０１、１１０、１１１の３ビットで表現されるパラメータであって、
前記第１集合の元となる前記サイクリックシフトパラメータは、前記第１レイヤのサイクリックシフトパラメータ値が各々０、６、３、９であることを指示する０００、００１、０１０、１１１であり、前記第２集合の元となる前記サイクリックシフトパラメータは、前記第１レイヤのサイクリックシフトパラメータ値が各々４、２、８、１０であることを指示する０１１、１００、１０１、１１０であることを特徴とする、請求項５に記載の方法。
【請求項７】
前記第２集合の元となる前記サイクリックシフトパラメータのうち、
前記直交性カバーコードに［＋１、＋１］が全てのＮレイヤに対して同一に割り当てられる場合には、前記第１レイヤのサイクリックシフトパラメータ値が各々４、２であることを指示する０１１、１００のうちの１つが前記サイクリックシフトパラメータとして決まり、
前記直交性カバーコードに［＋１、−１］が全てのＮレイヤに対して同一に割り当てられる場合には、前記第１レイヤのサイクリックシフトパラメータ値が各々８、１０であることを指示する１０１、１１０のうちの１つが前記サイクリックシフトパラメータとして決まる、
請求項６に記載の方法
【請求項８】
Ｎ個（Ｎは、整数）のレイヤに対して参照信号を生成し、これを転送するユーザ端末の方法であって、
ｅＮｏｄｅＢから受信したサイクリックシフトパラメータが含まれた制御情報から第１レイヤに対するサイクリックシフトパラメータ値を算出し、前記第１レイヤ以外に追加で他のレイヤを使用する場合、残りのレイヤの各々に対するサイクリックシフトパラメータ値を算出し、
前記サイクリックシフトパラメータで前記第１レイヤに対する直交性カバーコード（Orthogonal Cover Code）を算出し、前記第１レイヤ以外に追加で他のレイヤを使用する場合、残りのレイヤの各々に対する直交性カバーコードを算出し、
前記第１レイヤに対するサイクリックシフトパラメータ値及び直交性カバーコードを用いて前記第１レイヤに対する参照信号を生成し、
前記第１レイヤ以外に追加で他のレイヤを使用する場合、前記他のレイヤの各々に対する前記サイクリックシフトパラメータ値及び前記他のレイヤの各々に対する前記直交性カバーコードを用いて前記他のレイヤの各々に対する参照信号を生成し、
前記生成された参照信号を前記ｅＮｏｄｅＢに転送することを含み、
前記サイクリックシフトパラメータは共通集合が空集合である第１集合または第２集合の元となり、
前記サイクリックシフトパラメータが第１集合の元の場合には、第２レイヤの直交性カバーコードは第１レイヤの直交性カバーコードと同一であるが、第３レイヤ及び第４レイヤの直交性カバーコードは第１レイヤの直交性カバーコードと同一でなく、
前記サイクリックシフトパラメータが第２集合の元の場合には、全てのＮレイヤに対して直交性カバーコードが同一であることを特徴とする、方法。
【請求項９】
前記サイクリックシフトパラメータは、前記第１レイヤのサイクリックシフトパラメータ値が各々０、６、３、４、２、８、１０、９であることを指示する０００、００１、０１０、０１１、１００、１０１、１１０、１１１の３ビットで表現されるパラメータであって、
前記第１集合の元となる前記サイクリックシフトパラメータは、前記第１レイヤのサイクリックシフトパラメータ値が各々０、６、３、９であることを指示する０００、００１、０１０、１１１であり、前記第２集合のいずれか１つの元となる前記サイクリックシフトパラメータは、前記第１レイヤのサイクリックシフトパラメータ値が各々４、２、８、１０であることを指示する０１１、１００、１０１、１１０であることを特徴とする、請求項８に記載の方法。
【請求項１０】
前記第２集合の元となる前記サイクリックシフトパラメータに対し、
前記サイクリックシフトパラメータが前記第１レイヤのサイクリックシフトパラメータ値が各々４、２であることを指示する０１１、１００のうちの１つの場合には、前記直交性カバーコードとして［＋１、＋１］が全てのＮレイヤに対して同一に割り当てられ、前記サイクリックシフトパラメータが前記第１レイヤのサイクリックシフトパラメータ値が各々８、１０であることを指示する１０１、１１０のうちの１つの場合には、前記直交性カバーコードとして［＋１、−１］が全てのＮレイヤに対して同一に割り当てられることを特徴とする、請求項９に記載の方法。
【請求項１１】
Ｎ個（Ｎは、整数）のレイヤに対して参照信号を生成し、これを転送する端末にサイクリックシフトパラメータを転送するｅＮｏｄｅＢ装置であって、
各々のレイヤに対する参照信号生成に用いられる直交性カバーコード（orthogonal cover code：ＯＣＣ）を指示する前記サイクリックシフトパラメータを決定するサイクリッ
クシフトパラメータ決定部と、
前記決まったサイクリックシフトパラメータが含まれた制御情報をユーザ端末に送信するための信号を生成する信号生成部と、
前記信号を前記ユーザ端末に送信し、前記ユーザ端末から前記参照信号を受信する送受信部と、を含み、
前記サイクリックシフトパラメータ決定部により決まる前記サイクリックシフトパラメータは、共通集合が空集合である第１集合または第２集合の元となり、第１の直交性カバーコードを第２レイヤでは第１レイヤと同一に割り当て、前記第１の直交性カバーコードと異なる第２の直交性カバーコードを第３レイヤと第４レイヤとでは第１レイヤと同一でないように割り当てる場合には、前記第１集合のいずれか１つの元が前記サイクリックシフトパラメータとして決まり、前記直交性カバーコードを全てのレイヤに対して同一に割り当てる場合には、前記第２集合の元が前記サイクリックシフトパラメータとして決まることを特徴とする、ｅＮｏｄｅＢ装置。
【請求項１２】
前記サイクリックシフトパラメータは、第１レイヤのサイクリックシフトパラメータ値が各々０、６、３、４、２、８、１０、９であることを指示する０００、００１、０１０、０１１、１００、１０１、１１０、１１１の３ビットで表現されるパラメータであって、
前記第１集合の元となる前記サイクリックシフトパラメータは、前記第１レイヤのサイクリックシフトパラメータ値が各々０、６、３、９であることを指示する０００、００１、０１０、１１１であり、前記第２集合のいずれか１つの元となる前記サイクリックシフトパラメータは、前記第１レイヤのサイクリックシフトパラメータ値が各々４、２、８、１０であることを指示する０１１、１００、１０１、１１０であることを特徴とする、請求項１１に記載のｅＮｏｄｅＢ装置。
【請求項１３】
前記第２集合の元となる前記サイクリックシフトパラメータのうち、
前記直交性カバーコードに［＋１、＋１］が全てのレイヤに対して同一に割り当てられる場合には、前記第１レイヤのサイクリックシフトパラメータ値が各々４、２であることを指示する０１１、１００のうちの１つが前記サイクリックシフトパラメータとして決まり、
前記直交性カバーコードに［＋１、−１］が全てのレイヤに対して同一に割り当てられる場合には、前記第１レイヤのサイクリックシフトパラメータ値が各々８、１０であることを指示する１０１、１１０のうちの１つが前記サイクリックシフトパラメータとして決まる、請求項１２に記載のｅＮｏｄｅＢ装置。
【請求項１４】
Ｎ（Ｎは、整数）個のレイヤに対して参照信号を生成し、これを転送する端末装置であって、
ｅＮｏｄｅＢからサイクリックシフトパラメータが含まれた制御情報を受信する受信部と、
前記受信部が受信したサイクリックシフトパラメータが含まれた制御情報から第１レイヤに対するサイクリックシフトパラメータ値を算出し、前記第１レイヤ以外に追加で他のレイヤを使用する場合、残りのレイヤの各々に対するサイクリックシフトパラメータ値を算出するサイクリックシフトパラメータ算出部と、
前記サイクリックシフトパラメータで前記第１レイヤに対する直交性と関連した情報を算出し、前記第１レイヤ以外に追加で他のレイヤを使用する場合、残りのレイヤの各々に対する直交性と関連した情報を算出する直交性関連情報算出部と、
前記第１レイヤに対するサイクリックシフトパラメータ値及び前記第１レイヤに対する直交性と関連した情報を用いて前記第１レイヤに対する参照信号を生成し、前記第１レイヤ以外に追加で他のレイヤを使用する場合、前記残りのレイヤの各々に対する前記サイクリックシフトパラメータ値及び前記残りのレイヤの各々に対する直交性と関連した情報を用いて前記残りのレイヤの各々に対する参照信号を生成する参照信号生成部と、
前記生成された参照信号を前記ｅＮｏｄｅＢに転送する送信部と、を含み、
前記サイクリックシフトパラメータは共通集合が空集合である第１集合または第２集合の元となり、
前記サイクリックシフトパラメータが第１集合の元の場合には、前記直交性と関連した情報が第２レイヤでは第１レイヤと同一であるが、第３レイヤと第４レイヤでは第１レイヤと同一でなく、前記サイクリックシフトパラメータが第２集合の元の場合には、前記直交性と関連した情報が全てのレイヤに対して同一であることを特徴とする、端末装置。
【請求項１５】
直交性と関連した情報がサイクリックシフトパラメータにより指示された直交性カバーコードを含むことを特徴とする請求項１４に記載の端末装置。
【請求項１６】
前記サイクリックシフトパラメータは、第１レイヤのサイクリックシフトパラメータ値が各々０、６、３、４、２、８、１０、９であることを指示する０００、００１、０１０、０１１、１００、１０１、１１０、１１１の３ビットで表現されるパラメータであって、
前記第１集合の元となる前記サイクリックシフトパラメータは、前記第１レイヤのサイクリックシフトパラメータ値が各々０、６、３、９であることを指示する０００、００１、０１０、１１１であり、前記第２集合の元となる前記サイクリックシフトパラメータは、前記第１レイヤのサイクリックシフトパラメータ値が各々４、２、８、１０であることを指示する０１１、１００、１０１、１１０であることを特徴とする、請求項１４に記載の端末装置。
【請求項１７】
前記第２集合の元となる前記サイクリックシフトパラメータに対し、
前記サイクリックシフトパラメータが前記第１レイヤのサイクリックシフトパラメータ値が各々４、２であることを指示する０１１、１００のうちの１つの場合には、前記直交性と関連した情報は直交性カバーコードとして［＋１、＋１］が全てのＮレイヤに対して同一に割り当てられ、前記サイクリックシフトパラメータが前記第１レイヤのサイクリックシフトパラメータ値が各々８、１０であることを指示する１０１、１１０のうちの１つの場合には、前記直交性と関連した情報は直交性カバーコードとして［＋１、−１］が全てのＮレイヤに対して同一に割り当てられることを特徴とする、請求項１６に記載の端末装置。
【請求項１８】
0005890395.tif 000077
【発明の詳細な説明】
【技術分野】
【０００１】
本明細書は無線通信システムに関するものであって、特にＭＩＭＯ環境におけるサイクリックシフトパラメータを送受信する装置及び方法を提供する。
【背景技術】
【０００２】
通信システムが発展するにつれて、事業体及び個人等の消費者は非常に多様な無線端末機を使用するようになった。
【０００３】
現在の３ＧＰＰ系列のＬＴＥ（Long Term Evolution）、ＬＴＥ−Ａ（LTE Advanced）等の移動通信システムでは音声中心のサービスを越え、映像、無線データなどの多様なデータを送受信できる高速大容量の通信システムであって、有線通信ネットワークに準する大容量データが転送できる技術開発が要求されているだけでなく、情報損失の減少を最小化し、システム転送効率を高めることによって、システム性能を向上させることができる適切な誤り検出方式が必須な要素となった。
【０００４】
また、現在の多数の通信システムではアップリンクまたはダウンリンクを通じて通信環境などに対する情報を相対装置に提供するために、さまざまな基準信号（または、参照信号：Reference Signal）が使われている。
【０００５】
例えば、移動通信方法のうちの１つであるＬＴＥシステムでは、アップリンク（Uplink：ＵＬ）転送時、データチャンネルの復調のためのチャンネル情報を把握するために、端末（User Equipment：以下、'ＵＥ'または'端末'という）は、基準信号（Reference Signal）でアップリンク復調基準信号（Uplink Demodulation Reference Signal：ＵＬ ＤＭ−ＲＳ）を毎スロット毎に転送するようになる。また、端末のチャンネル状態を表すチャンネル推定基準信号としてサウンディング基準信号（Sounding Reference Signal）を基地局装置で転送し、ダウンリンク（Downlink）転送時、チャンネル情報を把握するために基準信号（Reference Signal）であるＣＲＳ（Cell-specific Reference Signal）を毎サブフレーム（subframe）毎に転送する等がそれである。
【０００６】
このような基準信号（または、参照信号：Reference Signal）は基準信号の送信装置、即ちアップリンク基準信号の場合にはＵＥ、ダウンリンク基準信号の場合には基地局装置が周期的に生成して基準信号受信装置に転送することが一般的である。
【０００７】
また、現在までのこのような基準信号は、アップリンクの場合、一定のサイクリックシフト（Cyclic Shift）を用いて複素的に位相を変化させて多数のシーケンスを生成する方式により生成される。
【０００８】
しかしながら、最近、通信システムの柔軟性などの理由により基準信号またはシーケンスをより拡張して使用しようとする要求が台頭している。
【発明の概要】
【発明が解決しようとする課題】
【０００９】
本発明の例示的実施形態は多重入力多重出力（ＭＩＭＯ）環境における直交性をサポートするためのサイクリックシフトパラメータを送受信する装置及び方法を提供する。本発明の付加の特徴は後続する詳細な説明で説明され、部分的にその説明から明らかになるものであるが、本発明の実施により習得できる。
【課題を解決するための手段】
【００１０】
本発明の例示的な一実施形態は、１つ以上のユーザ端末（ＵＥ）の多重接続状態を判断して直交性割当ルール及び直交性と関連した情報を内在的に指示するサイクリックシフト（ＣＳ）パラメータを決定し、及び上記決定されたＣＳパラメータを１つ以上のＵＥに送信することを含み、上記直交性と関連した情報がＣＳパラメータにより指示される直交性カバーコード（ＯＣＣ：orthogonal cover code）を含み、上記直交性割当ルールが上記ＣＳパラメータが属する、少なくとも１つの元を有する集合に従って同一方式あるいは非同一方式に決まり、上記直交性割当ルールとして非同一方式が適用されれば、上記ＵＥがＳＵ−ＭＩＭＯ（Single User Multiple Input Multiple Output）状態にある場合、上記少なくとも１つの元を上記ＵＥのＣＳパラメータとして決定し、上記直交性割当ルールとして同一方式が適用されれば、上記ＵＥがＭＵ−ＭＩＭＯ（Multi User Multiple Input Multiple Output）状態にある場合、上記少なくとも１つの元を上記ＵＥのＣＳパラメータとして決定することを特徴とする方法を開示する。
【００１１】
本発明の例示的な一実施形態は、Ｎ個のレイヤ（Ｎは、整数）に対して参照信号を生成し、これを転送するユーザ端末（ＵＥ）にサイクリックシフト（ＣＳ）パラメータを転送する方法であって、各々のレイヤに対する参照信号生成に用いられる直交性カバーコード（ＯＣＣ：orthogonal cover code）を内在的に指示するＣＳパラメータを決定するステップ、及び上記決まったＣＳパラメータを上記ＵＥに送信するステップを含み、上記ＣＳパラメータが第１集合と第２集合との間の共通集合が空集合である第１集合または第２集合の元となり、第１のＯＣＣを第１レイヤと第２レイヤに同一に割り当てて、上記第１のＯＣＣとは相異する他のＯＣＣを第３レイヤと第４レイヤに同一に割り当てる場合には、上記第１集合のいずれか１つの元が上記ＣＳパラメータとして決まり、１つのＯＣＣを上記Ｎ個の全てのＮレイヤに対して同一に割り当てる場合には、上記第２集合のいずれか１つの元が上記ＣＳパラメータとして決まることを特徴とする方法を開示する。
【００１２】
本発明の例示的な一実施形態は、ユーザ端末（ＵＥ）がＮ個のレイヤ（Ｎは整数）に対して参照信号を生成し、これを転送する方法であって、ｅＮｏｄｅＢから受信したサイクリックシフト（ＣＳ）パラメータが含まれた制御情報で第１レイヤに対するＣＳパラメータ値を算出し、上記第１レイヤの以外に追加で他のレイヤを使用する場合、該他のレイヤの各々に対するＣＳパラメータ値を算出するステップ、上記ＣＳパラメータで上記第１レイヤに対する直交性カバーコード（ＯＣＣ：orthogonal cover code）を算出し、上記第１レイヤの以外に追加で他のレイヤを使用する場合、該他のレイヤの各々に対するＯＣＣを算出するステップ、上記第１レイヤに対するＣＳパラメータ値及びＯＣＣを用いて上記第１レイヤに対する参照信号を生成し、上記第１レイヤの以外に追加で他のレイヤを使用する場合、該他のレイヤの各々に対するＣＳパラメータ値及びＯＣＣを用いて上記他のレイヤの各々に対する参照信号を生成するステップ、及び上記生成された参照信号を上記ｅＮｏｄｅＢに転送するステップを含み、上記ＣＳパラメータが第１集合と第２集合との間の共通集合が空集合である第１集合または第２集合の元となり、上記ＣＳパラメータが第１集合の元の場合には第２レイヤのＯＣＣが第１レイヤのＯＣＣと同一であるが、第３レイヤ及び第４レイヤのＯＣＣが第１レイヤのＯＣＣと同一でなく、上記ＣＳパラメータが第２集合の元の場合には、上記Ｎ個の全てのレイヤに対してＯＣＣが同一に割り当てられることを特徴とする方法を開示する。
【００１３】
本発明の例示的な一実施形態は、Ｎ個のレイヤ（Ｎは、整数）に対して参照信号を生成し、これを転送するユーザ端末（ＵＥ）にサイクリックシフト（ＣＳ）パラメータを転送するｅＮｏｄｅＢ装置であって、各々のレイヤに対する参照信号生成に用いられる直交性カバーコード（ＯＣＣ：orthogonal cover code）を内在的に指示するＣＳパラメータを決定するＣＳパラメータ決定部、上記決まったＣＳパラメータが含まれた制御情報を上記ＵＥに送信するための信号を生成する信号生成部、及び上記信号を上記ＵＥに送信し、上記ＵＥから参照信号を受信する送受信部を含み、かつ上記ＣＳパラメータ決定部により決まる上記ＣＳパラメータが第１集合と第２集合との間の共通集合が空集合である第１集合または第２集合の元となり、第１のＯＣＣを最初のレイヤと２番目のレイヤに同一に割り当てて、上記第１のＯＣＣとは相異する他のＯＣＣを３番目のレイヤと４番目のレイヤに同一に割り当てる場合には、上記第１集合のいずれか１つの元が上記ＣＳパラメータとして決まり、１つのＯＣＣを上記Ｎ個の全てのレイヤに対して同一に割り当てる場合には、上記第２集合のいずれか１つの元が上記ＣＳパラメータとして決まる装置を開示する。
【００１４】
本発明の例示的な一実施形態は、Ｎ個のレイヤ（Ｎは、整数）に対して参照信号を生成し、これを転送するユーザ端末（ＵＥ）装置であって、ｅＮｏｄｅＢからサイクリックシフト（ＣＳ）パラメータが含まれた制御情報を受信する受信部、上記ＣＳパラメータが含まれた制御情報で第１レイヤに対するＣＳパラメータ値を算出し、上記第１レイヤの以外に追加で他のレイヤを使用する場合、該他のレイヤの各々に対するＣＳパラメータ値を算出するＣＳパラメータ算出部、上記ＣＳパラメータで上記第１レイヤに対する直交性と関連した情報を算出し、上記第１レイヤの以外に追加で他のレイヤを使用する場合、該他のレイヤの各々に対する直交性と関連した情報を算出する直交性関連情報算出部、上記第１レイヤに対するＣＳパラメータ値及び上記第１レイヤに対する直交性と関連した情報を用いて上記第１レイヤに対する参照信号を生成し、上記第１レイヤの以外に追加で他のレイヤを使用する場合、該他のレイヤの各々に対するＣＳパラメータ値及び上記他のレイヤの各々に対する直交性と関連した情報を用いて上記他のレイヤの各々に対する参照信号を生成する参照信号生成部、及び上記生成された参照信号を上記ｅＮｏｄｅＢに転送する送信部を含み、かつ上記ＣＳパラメータが第１集合と第２集合との間の共通集合が空集合である第１集合または第２集合の元となり、上記ＣＳパラメータが第１集合の元の場合には、第２レイヤの直交性カバーコード（ＯＣＣ：orthogonal cover code）が第１レイヤのＯＣＣと同一であるが、第３レイヤと第４レイヤのＯＣＣが第１レイヤのＯＣＣと同一でなく、上記ＣＳパラメータが第２集合の元の場合には、１つのＯＣＣが上記Ｎ個の全てのレイヤに対して同一に割り当てられることを特徴とする装置を開示する。
【００１５】
0005890395.tif 000002
【００１６】
0005890395.tif 000003
【図面の簡単な説明】
【００１７】
本発明のより一層の理解を提供しようと含まれ、本明細書に含まれてその一部を構成し、本発明の実施形態を図示している添付図面は詳細な説明と共に本発明の原理を説明する役割をする。
【図１】本発明の実施形態が適用される無線通信システムを示す図である。
【図２】本発明の実施形態に適用できる転送データのサブフレーム及びタイムスロット構造を示す図である。
【図３】ＬＴＥ環境でＵＥがＤＭ−ＲＳシーケンスを生成するステップを示す図である。
【図４】本明細書の一実施形態による直交性割当ルールに対する図である。
【図５】本明細書の一実施形態により基地局でＯＣＣ割当ルールをＵＥが類推できるように制御情報を設定して送信するステップを示す図である。
【図６】本明細書の一実施形態により基地局が送信した制御情報からＵＥがＯＣＣ及び直交性割当ルールを類推して設定するステップを示す図である。
【図７】本明細書の一実施形態によりＵＥで基地局が送信した制御情報からＵＥが直交性割当ルールを選択してＯＣＣを算出するステップを示す図である。
【図８】本明細書の一実施形態によりＭＵ−ＭＩＭＯにおけるＵＥで基地局が送信した制御情報からＵＥが直交性割当ルールを選択してＯＣＣを算出するステップを示す図である。
【図９】基地局でＣＳ値を割り当てるステップで、ＵＥが直交性割当ルールを類推できるように内在的な方式により提供するステップを示す図である。
【図１０】本明細書の他の実施形態によりＭＵ−ＭＩＭＯにおけるＵＥで基地局が送信した制御情報からＵＥが直交性割当ルールを選択してＯＣＣを算出するステップを示す図である。
【図１１】本明細書の一実施形態による直交性を指示するサイクリックシフトパラメータを送信する装置の構成に対する図である。
【図１２】本明細書の一実施形態による直交性を指示するサイクリックシフトパラメータを受信して直交性を満たす基準信号を送信する装置の構成に対する図である。
【発明を実施するための形態】
【００１８】
以下、本発明の一部の実施形態を添付した図面を参照しつつ詳細に説明する。以下の開示は、様々な形態で実施することができ、以下の例示的な実施形態に限定して解釈されるべきではない。むしろ、以下の例示的な実施形態は、以下の開示が完全なものとなり、当業者に以下の開示の内容を充分に伝えるために提供される。以下に説明されるシステム、装置又は／及び方法の様々な変形、修正、均等物が当業者に示唆される。各図面の構成要素に参照符号を付加するに当たって、同一な構成要素に対してはたとえ他の図面上に表示されても、できる限り同一な符号を有するようにしていることに留意しなければならず、いくつかの要素の大きさ及び大きさの比は、分かり易さや便宜のために誇張される場合がある。
【００１９】
以下の開示は、ＭＩＭＯ環境における直交性と関連がある情報を内在的に示すサイクリックシフトパラメータを送受信する技術に関する。
【００２０】
また、以下の開示は、サイクリックシフトパラメータを送受信し、直交性に関する情報を別に送信せずに、参照信号を生成する技術に関する。
【００２１】
図１は、本発明の実施形態が適用される無線通信システムを示す図である。
【００２２】
無線通信システムは、音声、パケットデータなどの多様な通信サービスを提供するために広く配置される。
【００２３】
図１を参照すると、無線通信システムは端末１０（User Equipment：ＵＥ）及び基地局２０（Base Station：BS）を含む。端末１０と基地局２０は以下に説明する実施形態のような拡張されたチャンネル推定用基準信号生成技術を適用する。
【００２４】
本明細書での端末１０は、無線通信でのユーザ端末を意味する包括的な概念であって、ＷＣＤＭＡ及びＬＴＥ（Long Term Evolution）、ＬＴＥ−Ａ（ＬＴＥ−Ａdvanced）、ＨＳＰＡなどでのＵＥ（User Equipment）は勿論、ＧＳＭ（登録商標）でのＭＳ（Mobile Station）、ＵＴ（User Terminal）、ＳＳ（Subscriber Station）、無線機器（wireless device）などを全て含む概念として解釈されるべきである。
【００２５】
端末１０と基地局２０は本明細書で記述される技術または技術的思想を具現することに使われる２つの送受信主体で、包括的な意味として使われて、特定に指称される用語または単語により限定されない。また、以下では'端末'、'ユーザ端末'、及び'ＵＥ'を同一な意味として使用することにし、同様に'基地局'と'ｅＮｏｄｅＢ（ｅｖｏｌｖｅｄ  Ｎｏｄｅ−Ｂ）'を同一な意味として使用することにする。
【００２６】
無線通信システムに適用される多重接続技法は無線通信システムに適用可能な、ＣＤＭＡ（Code Division Multiple Access）、ＴＤＭＡ（Time Division Multiple Access）、ＦＤＭＡ（Frequency Division Multiple Access）、ＯＦＤＭＡ（Orthogonal Frequency Division Multiple Access）、ＯＦＤＭ−ＦＤＭＡ、ＯＦＤＭ−ＴＤＭＡ、ＯＦＤＭ−ＣＤＭＡを含む。
【００２７】
アップリンク転送及びダウンリンク転送は、互いに異なる時間を使用して転送されるＴＤＤ（Time Division Duplex）方式を使用することができ、または互いに異なる周波数を使用して転送されるＦＤＤ（Frequency Division Duplex）方式を使用できる。
【００２８】
本発明の一実施形態は、ＧＳＭ（登録商標）、ＷＣＤＭＡ、ＨＳＰＡからＬＴＥ及びＬＴＥ−advancedなどの非同期無線通信の資源割当に適用できる。また、ＣＤＭＡ、ＣＤＭＡ−２０００及びＵＭＢなどの同期式無線通信の資源割当に適用できる。本発明は、特定の無線通信分野に限定または制限されて解釈されてはならず、本発明の技術的思想が適用できる全ての技術分野を含むものと解釈されるべきである。
【００２９】
本発明の実施形態が適用される無線通信システムは、アップリンク及び/またはダウンリンクＨＡＲＱをサポートすることができ、リンク適応（link adaptation）のためにＣＱＩ（channel quality indicator）を使用することができる。また、ダウンリンクとアップリンク転送のための多重接続方式は互いに異なることがあり、例えば、ダウンリンクはＯＦＤＭＡ（Orthogonal Frequency Division Multiple Access）を使用し、アップリンクはＳＣ−ＦＤＭＡ（Single Carrier-Frequency Division Multiple Access）を使用することができることと同一である。
【００３０】
端末とネットワークとの間の無線インターフェースプロトコル（radio interface protocol）の階層は通信システムで広く知られた開放型システム間の相互接続（Open System Interconnection：ＯＳＩ）モデルの下位３個の階層に基づいて第１階層（Ｌ１）、第２階層（Ｌ２）、第３階層（Ｌ３）に区分され、第１階層に属する物理階層は物理チャンネル（physical channel）を用いた情報転送サービス（information transfer service）を提供する。
【００３１】
図２は、本発明の実施形態に適用できる転送データのサブフレーム及びタイムスロット構造を示す図である。
【００３２】
図２を参照すると、１つのラジオフレーム（Radio frame）または無線フレームは１０個のサブフレーム２１０で構成され、１つのサブフレームは２つのスロット（slot）２０２、２０３を含むことができる。データ転送の基本単位はサブフレーム単位となり、サブフレーム単位でダウンリンクまたはアップリンクのスケジューリングがなされる。１つのスロットは時間領域で複数のＯＦＤＭシンボルと周波数領域で少なくとも１つの副搬送波（subcarrier）を含むことができ、１つのスロットは７個または６個のＯＦＤＭシンボルを含むことができる。
【００３３】
例えば、サブフレームは２つのタイムスロットからなると、各タイムスロットは時間領域で７個または６個のシンボルと周波数領域で１２個のサブキャリアまたは副搬送波を含むことができ、このように時間軸に１つのスロットと周波数軸に１２つのサブキャリアとして定義される時間−周波数領域をリソースブロックまたは資源ブロック（Resource Block：ＲＢ）と呼ぶことができるが、これに限定されるものではない。
【００３４】
３ＧＰＰ ＬＴＥシステムにおいて、フレームの送信時間は１ｍｓ持続時間のＴＴＩ（送信時間間隔）に分けられる。"ＴＴＩ"及び"サブフレーム（sub-frame）"という用語は同一な意味として使われることができ、フレームは１０ｍｓ長さで、１０個のＴＴＩを含む。
【００３５】
符号２０２は本発明の実施形態に従うタイム−スロットの一般的な構造を表したものである。前述したように、ＴＴＩは基本送信単位（basic transmission unit）であって、１つのＴＴＩは１つのサブフレーム２１０の内に同一長さの２つのタイム−スロット２０２、２０３を含み、各タイム−スロットは０．５ｍｓの持続時間を有する。タイム−スロットはシンボルに対する７個または６個のロングブロック（long block：ＬＢ）２１１を含む。ＬＢはサイクリックプリフィクス（cyclic prefixes：ＣＰ）２１２に分離される。総合すれば、１つのＴＴＩまたはサブフレームは１４個または１２のＬＢシンボルを含むことができるが、本明細書はこのようなフレーム、サブフレーム、またはタイム−スロット構造に制限されるものではない。
【００３６】
現在の無線通信方式のうちの１つであるＬＴＥ通信システムでは、アップリンクの場合、復調基準信号（Demodulation Reference Signal：ＤＭＲＳ、ＤＭ−ＲＳ）及びサウンディング基準信号（Sounding Reference Signal：ＳＲＳ）などが定義されており、ダウンリンクの場合には、セル固有の基準信号（Cell-specific Reference Signal：ＣＲＳ）、ＭＢＳＦＮ基準信号（Multicast/Broadcast over Single Frequency Network Reference Signal：ＭＢＳＦＮ−ＲＳ）及び端末固有基準信号（UE-specific Reference Signal）などが定義されている。
【００３７】
0005890395.tif 000004
【００３８】
図３は、ＬＴＥ環境でＵＥがＤＭ−ＲＳシーケンスを生成するステップを示す図である。
【００３９】
【数１】
0005890395.tif 000005
【００４０】
0005890395.tif 000006
【００４１】
一方、サイクリックシフト（ＣＳ）に対する値であるαを求めるステップは、＜数式２＞の通りである。
【００４２】
【数２】
0005890395.tif 000007
【００４３】
0005890395.tif 000008
【００４４】
0005890395.tif 000009
【００４５】
【表１】
0005890395.tif 000010
【００４６】
0005890395.tif 000011
【００４７】
0005890395.tif 000012
【００４８】
【表２】
0005890395.tif 000013
【００４９】
0005890395.tif 000014
【００５０】
0005890395.tif 000015
【００５１】
＜数式１＞により生成されたＤＭ−ＲＳシーケンスは、各スロットの該当シンボルにマッピングされるが、これはリソース資源マッパー（ＲＥマッパー：resource element mapper）を通じてマッピングされる（Ｓ３７０）。上記シンボルはＰＵＳＣＨと連係されたＤＭ−ＲＳの場合にはノーマル（normal）ＣＰ（Cyclic Prefix）を使用する場合、毎スロット（slot）の７番目のシンボルのうちの４番目のシンボルに、そして拡張（extended）ＣＰ使用時には毎スロットのシンボルのうちの３番目のシンボルに該当する。ＰＵＣＣＨと連係されたＤＭ−ＲＳの場合、上記該当シンボルは毎スロットで最大３個のシンボルになることができ、該当シンボルの個数及び位置は＜表３＞のようにＣＰの種類とＰＵＣＣＨのフォーマットによって相異する。
【００５２】
【表３】
0005890395.tif 000016
【００５３】
上記マッピングが完了すれば、ＳＣ ＦＤＭＡ生成器（generator）を通じて上記ＤＭ−ＲＳシーケンスがマッピングされたリソースエレメント（Resource Element：ＲＥ）からＳＣ−ＦＤＭＡシンボルを生成してＤＭ−ＲＳ信号を基地局に転送する（Ｓ３８０）。
【００５４】
一方、ＬＴＥ−Ａシステムは、アップリンクの場合、最大４個のアンテナをサポートするようになり、これによって最大４個のレイヤ（layer）に対して互いに区別されるＤＭ−ＲＳシーケンスマッピングが必要である。このために、ベースシーケンスにＣＳ値を互いに異にして直交性（orthogonality）を維持することができる。
【００５５】
また、ＳＵ−ＭＩＭＯ（Single-User Multiple Input Multiple Output）及びＭＵ−ＭＩＭＯ（Multiple-User Multiple Input Multiple Output）でレイヤ間の直交性をより保証するために、あるいはＭＵ−ＭＩＭＯで複数個の端末の区分のためにスロット単位でＯＣＣ（Orthogonal Cover Code）を追加する方法が提案されてきた。
【００５６】
ＯＣＣは、＜表４＞のように構成される。
【００５７】
【表４】
0005890395.tif 000017
【００５８】
従来のＬＴＥのように１つのレイヤのみ使用する場合には、上位段からスケジューリング（scheduling）されて決まったＣＳ値をＵＥに３ビットの値でシグナリング（signling）してきた。しかし、ＬＴＥ−Ａのようなシステムでは多くのレイヤと端末とが互いに直交性を有することができるように、ＣＳ値及びＯＣＣを提供しなければならない。例えば、最大４個のレイヤを使用する場合、最大４個のレイヤに対し、ＣＳ、ＯＣＣを適用して直交性を保証することが必要である。
【００５９】
したがって、ｅＮｏｄｅＢはＯＣＣを表す１ビットのｎＯＣＣに対する情報をＵＥに伝達して、この値を用いてＤＭ−ＲＳシーケンスをマッピングするに当たって、ＵＥまたはレイヤの間の直交性を保証できるようにする。一方、このようなｎＯＣＣをＵＥに伝達する方式に、ｎＯＣＣ値を基地局からＵＥに直接１ビットシグナリングを通じて転送することを考慮することができる。しかしながら、１ビットを追加でシグナリングする場合、ＬＴＥとは異なり、多数の要素搬送波（component carrier）を使用するＬＴＥ−Ａの場合、毎サブフレーム毎に各々の要素搬送波（Component Carrier）に対して１ビットを追加して送信することによって、追加的なオーバーヘッド（overhead）問題が発生する。一方、従来のＬＴＥでＤＣＩフォーマット０を用いて３ビットをシグナリングすることとは異なり、追加１ビットを含んだ４ビットが必要であるので、ＬＴＥと異なるＤＣＩフォーマットを構成することが必要であることもある。したがって、別途の１ビットシグナリング無しでＯＣＣをＵＥが利用するようにすることが必要である。
【００６０】
ＬＴＥにおいてはＳＵ−ＭＩＭＯ及びＭＵ−ＭＩＭＯ環境を同時に考慮する必要がなかった。しかしながら、ＬＴＥ−ＡシステムではＳＵ−ＭＩＭＯでの各レイヤ（layer）の区分、ＭＵ−ＭＩＭＯで複数個の端末の区分において同時に最適化されたＣＳ値及びＯＣＣ割当を満たすことが必要である。特に、前述した追加的なシグナリング（signaling）無しでユーザ端末が上記循環遅延とＯＣＣを割り当てて参照信号を生成することが必要である。
【００６１】
以下、本開示ではアップリンク（Uplink：ＵＬ）復調参照信号（Demodulation Reference Signal：ＤＭ−ＲＳ）の各レイヤ（layer）でのＣＳ値及びＯＣＣを割り当てる方法とその装置の実現に対して提示する。また、端末の接続状態がＳＵ−ＭＩＭＯかＭＵ−ＭＩＭＯかによってＣＳ値及びＯＣＣ割当を異に構成できるようにして、ＳＵ−ＭＩＭＯでは各レイヤ（layer）の区分によりＯＣＣが使用できるようにし、ＭＵ−ＭＩＭＯでは複数のＵＥ区分のためにＯＣＣが使用できるようにする方法及びその装置を提供する。特に、本明細書では上位段で決まった最初のレイヤ（layer）のＣＳ値をｅＮｏｄｅＢを通じて端末に下げてくれれば、その値から他のレイヤ（layer）のＣＳ値及び各レイヤ（layer）のＯＣＣを別途の追加的なシグナリング（signaling）無しでＵＥが認知することができるようにする。
【００６２】
図４は、本明細書の一実施形態による直交性割当ルールに対する図である。
【００６３】
直交性割当ルール（Allocation Rule）は直交性と関連した情報をレイヤ別に割り当てるに当たって適用するルールを意味する。直交性と関連した情報は直交性を指示するために必要な情報を意味し、先の＜表４＞で説明したように、ＯＣＣの構成またはＯＣＣの構成を指示するｎＯＣＣが直交性と関連した情報の一実施形態になることができる。
【００６４】
図４では直交性と関連した情報をレイヤ別にどんな方式により設定するかと関連したルールである。図４では、ｎＯＣＣ、即ちＯＣＣインデックスを一実施形態として説明するが、この場合、ＯＣＣインデックスが有することができる値は２つ（０または１）である。
【００６５】
直交性割当ルールは同一方式と非同一方式がある。同一方式は、特定レイヤに対する直交性関連情報を用いて残りのレイヤに同一な直交性関連情報を割り当てることを意味する。同一方式を適用する場合は、直交性をＵＥ別に提供するための場合を含み、一実施形態としてＭＵ−ＭＩＭＯの場合が適用できる。４１０のようにＮ個のレイヤに対して第１レイヤのＯＣＣインデックス（ｎＯＣＣ）をそのまま割り当てる場合である。
【００６６】
非同一方式は特定レイヤに対する直交性関連情報を用いて残りのレイヤの一部は異なるように、そして一部は同一に直交性関連情報を割り当てることを意味する。非同一方式を適用する場合は、直交性をレイヤ別に提供するための場合を含み、一実施形態としてＳＵ−ＭＩＭＯの場合が適用できる。
【００６７】
非同一方式の一実施形態に、交差方式と両分方式がある。交差方式は、４２０のように、第１，２，...，Ｎレイヤが順次にＯＣＣインデックス（ｎＯＣＣ）を交差して有するようにする場合を意味する。一方、両分方式は４３０のように、第１，２，...，Ｎレイヤを２つに分けて、いずれか１つには第１レイヤと同一なＯＣＣインデックス（ｎＯＣＣ）を有するようにし、他の１つには第１レイヤと異なるＯＣＣインデックス（ｎＯＣＣ）を有するようにする場合を意味する。このように、直交性割当ルールを使用して端末（ＵＥ）の接続状態がＳＵ−ＭＩＭＯかＭＵ−ＭＩＭＯかによって循環遅延（Cyclic Shift：ＣＳ）値及びＯＣＣ（Orthogonal Cover Code）割当を異に構成することができる。
【００６８】
上記直交性割当ルールを指示する情報を別途にシグナリングする場合、送受信されるデータの量が増加するようになる。したがって、上記直交性割当ルールを別途のシグナリング無しでＵＥが選択することができるように内在的（implicit）方式を具現することが必要である。以下、直交性関連情報を別途のシグナリング無しで提供する方法と直交性割当ルールを内在的に提供する方法について説明する。
【００６９】
まず、基地局で別途のシグナリング無しで直交性関連情報をＵＥに提供するステップを説明すると、次の通りである。このステップでＵＥは直交性関連情報と直交性割当ルールを内在的に提供を受けることができる。
【００７０】
図５は、本明細書の一実施形態により基地局でＯＣＣをＵＥが類推できるように制御情報を設定して送信するステップを示す図である。
【００７１】
図５はＵＥがＯＣＣを類推できるように、即ち、ＵＥが直交性と関連した情報を算出できるようにサイクリックシフトパラメータを決定してＵＥに送信するステップを示している。
【００７２】
この処理においては、ｅＮｏｄｅＢが１つ以上のＵＥの多重接続状態を判断して直交性と関連した情報を算出できるサイクリックシフトパラメータを決定して、上記決まったサイクリックシフトパラメータを上記ＵＥに送信する。この処理をより詳細に説明すると、次の通りである。
【００７３】
ｅＮｏｄｅＢは、ＵＥの個数及びＵＥ別アンテナ（あるいは、レイヤ）数を確認する（Ｓ５１０）。これは、ＵＥがＳＵ−ＭＩＭＯで構成されるか、ＭＵ−ＭＩＭＯで構成されるかを確認するステップを含む。確認結果（Ｓ５２０）、上記ＵＥの多重接続状態がＳＵ−ＭＩＭＯの場合、ｅＮｏｄｅＢはＵＥがＳＵ−ＭＩＭＯであるかを確認することができる状態であるかを判断する（Ｓ５２２）。状態の確認は、ＵＥがＳＵ−ＭＩＭＯであるかを直接確認することができる場合と、ＳＵ−ＭＩＭＯ状況であることを類推できるネットワークの状態情報、例えば参照信号のシーケンスホッピングのような情報を確認することができる場合などを含む。
【００７４】
0005890395.tif 000018
【００７５】
仮に、ＵＥがＳＵ−ＭＩＭＯであることが確認できない場合、Ｓ５３５のステップを進行する。これはｅＮｏｄｅＢがＵＥをしてＳＵ−ＭＩＭＯであることを知ることができるように、ＳＵ−ＭＩＭＯの場合にサイクリックシフトを割り当てることができる第１サイクリックシフトパラメータグループで割り当てるサイクリックシフトパラメータを決定することができる（Ｓ５３５）。
【００７６】
ＵＥの多重接続状態がＭＵ−ＭＩＭＯの場合、Ｓ５２５のようにｅＮｏｄｅＢはＵＥがＭＵ−ＭＩＭＯであるかを確認することができる状態であるかを判断する（Ｓ５２５）。状態の確認は、ＵＥがＭＵ−ＭＩＭＯであるかを直接確認することができる場合と、ＭＵ−ＭＩＭＯ状況であることを類推できるネットワークの状態情報、例えば参照信号のシーケンスホッピングのような情報を確認することができる場合などを含む。
【００７７】
ＵＥがＭＵ−ＭＩＭＯであることを確認することができる場合、Ｓ５４０のステップを進行する。これはＵＥが直交性割当ルールをネットワークの状態を通じて確認することができる場合を含み、ＵＥが現在の接続状態がＳＵ−ＭＩＭＯか、ＭＵ−ＭＩＭＯかを直接あるいは他の情報を通じて類推して確認する場合に該当する。この場合、直交性割当ルールはＵＥが接続状態と関連した情報を確認して直交性関連情報を設定することができる。
【００７８】
より詳しくは、ＵＥに割り当てることができる全ての可能なサイクリックシフトパラメータは、第１集合及び第２集合に分けられて、上記第１集合及び上記第２集合の共通集合は空集合である。即ち、第１集合に属するサイクリックシフトパラメータは第２集合に属することができない。そして、第１集合は直交性と関連した第１の情報に、第２集合は直交性と関連した第２の情報に連結される場合、サイクリックシフトパラメータの値を設定することで、直交性に対する情報を共に提供する。ここで、上記２つ集合の共通集合は空集合の関係にあるので、特定のサイクリックシフトパラメータの値を確認すれば、どの集合に含まれるかを確認することができ、その結果、該当集合と関連した直交性を割り当てるための情報やはり確認することができる。
【００７９】
本明細書の一実施形態による上記集合の数が２つであることは、直交性と関連した情報が２つである場合に適用することができ、その他の直交性と関連した情報がＮ個の場合、上記サイクリックシフトパラメータはＮ個の集合に分けて、各々の共通集合が空集合になるようにすることができる。また、本明細書の他の実施形態に、集合による区分でなく関数などを通じて区分することもできる。即ち、所定のサイクリックシフトパラメータは直交性と関連した第１情報にマッピングされ、他のサイクリックシフトパラメータは直交性と関連した第２情報にマッピングされるようにする関数を使用することができる。
【００８０】
ｅＮｏｄｅＢは選択したサイクリックシフトを制御情報に挿入する（Ｓ５５０）。本明細書の一実施形態によれば、ＰＤＣＣＨ（Physical Data Control Channel）のＤＣＩフォーマット（Downlink Control Information）０に含めることができる。
【００８１】
そして、ｅＮｏｄｅＢは上記制御情報をＵＥに送信する（Ｓ５６０）。制御情報を受信したＵＥはサイクリックシフトが含まれた集合で直交性関連情報を確認できるようになる。また、ＵＥの接続状態がＳＵ−ＭＩＭＯか、またはＭＵ−ＭＩＭＯかを確認または類推して確認する場合、直交性割当ルールを選択することができ、選択した直交性割当ルールに従って、各レイヤ別にＯＣＣを設定することができる。勿論、先に受信したサイクリックシフトで各レイヤ別にサイクリックシフトパラメータを設定することができる。
【００８２】
より詳しくは、複数のＵＥに対し、第１サイクリックシフトパラメータグループと第２サイクリックシフトパラメータグループのうち、各ＵＥ別にサイクリックシフトパラメータを決定する。上記複数個のＵＥに対し、全てのＵＥが第１あるいは第２サイクリックシフトパラメータグループのうちの１つのグループのみで決まったサイクリックシフトパラメータの受信を受けることもできるが、互いに割り当てられた帯域幅である他の（non-equal bandwidth resource allocation）２つのＵＥは必ず互いに異なるサイクリックシフトパラメータグループで決まったサイクリックシフトパラメータを受信しなければならない。この際、上記第１サイクリックシフトパラメータグループで算出される上記直交性と関連した第１情報は、上記第２サイクリックシフトパラメータグループで算出される上記直交性と関連した第２情報と相異するように決定する。これは、サイクリックシフトパラメータが直交性と関連した情報を算出できるので、互いに異なる直交性と関連した情報、例えばＯＣＣを算出できるように第１サイクリックシフトパラメータグループと第２サイクリックシフトパラメータグループを決定することができる。また、本明細書の一実施形態によって第１サイクリックシフトパラメータグループと第２サイクリックシフトパラメータグループによって直交性割当ルールを判断することができる。
【００８３】
次に、ＵＥがＭＵ−ＭＩＭＯであることが確認できない場合、Ｓ５４５のステップを進行する。これは、ＵＥが直交性割当ルールをネットワークの状態を通じて確認できない場合を含み、ＵＥの現在の接続状態がＳＵ−ＭＩＭＯか、ＭＵ−ＭＩＭＯかを確認することができないので、直交性割当ルールはＵＥがサイクリックシフトパラメータを通じて確認することができる。勿論、直交性関連情報やはりサイクリックシフトパラメータに設定することができる。
【００８４】
より詳しくは、ＵＥに割り当てることができる全ての可能なサイクリックシフトパラメータは第１集合及び第２集合に分けられて、上記第１集合及び上記第２集合の共通集合は空集合である。即ち、第１集合に属するサイクリックシフトパラメータは第２集合に属することができない。そして、第１集合は直交性と関連した第１の情報に、第２集合は直交性と関連した第２の情報に連結される場合、サイクリックシフトパラメータの値を設定することで、直交性に対する情報を共に提供する。また、第２集合は共通集合が空集合である第２−１集合と第２−２集合に分けられる。Ｓ５４５では、ＭＵ−ＭＩＭＯの場合、各々のＵＥに上記第２−１集合と第２−２集合でサイクリックシフトパラメータの値を設定するようにする。その結果、ＵＥは自身が受信した制御情報から抽出したサイクリックシフトパラメータが第２−１集合または第２−２集合に含まれた場合、直交性関連情報を該当集合に関連した情報として抽出することができ、他のレイヤに対する直交性関連ルールやはり第２−１集合と第２−２集合を通じて類推することができる。例えば、第２−１、第２−２集合に含まれたサイクリックシフトパラメータを受信したＵＥはＭＵ−ＭＩＭＯに適合するようにレイヤ別に直交性割当ルールを同一方式にすることができる。
【００８５】
本明細書の一実施形態によるＭＵ−ＭＩＭＯでの上記集合（第２−１集合と第２−２集合）の数が２のときは、直交性と関連した情報が２の場合に適用することができ、その他の直交性と関連した情報がＮの場合、上記サイクリックシフトパラメータはＮ個の集合に分けて、各々の共通集合が空集合になるようにすることができる。また、本明細書の他の実施形態に、集合による区分でなく関数などを通じて区分することもできる。即ち、所定のサイクリックシフトパラメータは直交性と関連した第１情報にマッピングされ、他のサイクリックシフトパラメータは直交性と関連した第２情報にマッピングされるようにする関数を使用することができる。
【００８６】
以下に説明するように、２またはそれ以上の集合を上記集合とすることができる。しかしながら、本発明はこれに限定されるものでなく、直交性と関連した情報及び直交性割当ルールを別途に送信しなくても直交性と関連した情報を送信できるように構成されることを特徴とする。
【００８７】
Ｓ５４０の場合、ＭＵ−ＭＩＭＯ環境で、ＵＥグループ１とＵＥグループ２は割り当てられた帯域幅が互いに同一でない（non-equal bandwidth resource allocation）２つ以上のＵＥの一実施形態となる。言い換えると、ＭＵ−ＭＩＭＯ環境で割り当てられた帯域幅が同一でない２つの割当帯域幅に分けられるグループで、該当帯域幅グループに属する各々のＵＥのグループである第１のＵＥグループ及び第２のＵＥグループにおいて、第１のＵＥグループの内の１つ以上のＵＥが受信する第１サイクリックシフトパラメータグループの内の各々のサイクリックシフトパラメータと第２のＵＥグループの内の１つ以上のＵＥが受信する第２サイクリックシフトパラメータグループの内の各々のサイクリックシフトパラメータを決定し、かつ前述したように、上記第１サイクリックシフトパラメータグループで算出される上記直交性と関連した第１情報は、上記第２サイクリックシフトパラメータグループで算出される上記直交性と関連した第２情報と相異するように決定する。
【００８８】
Ｓ５４５の場合、ＭＵ−ＭＩＭＯ環境でＵＥグループ２−１とＵＥグループ２−２は割り当てられた帯域幅が互いに同一でない（non-equal bandwidth resource allocation）２つ以上のＵＥの一実施形態となる。言い換えると、ＭＵ−ＭＩＭＯ環境で割り当てられた帯域幅が同一でない２つの割当帯域幅に分けられるグループで、該当帯域幅グループに属する各々のＵＥのグループである第２−１のＵＥグループ及び第２−２のＵＥグループにおいて、第２−１のＵＥグループの内の１つ以上のＵＥが受信する第２−１サイクリックシフトパラメータグループの内の各々のサイクリックシフトパラメータと第２−２のＵＥグループの内の１つ以上のＵＥが受信する第２−２サイクリックシフトパラメータグループの内の各々のサイクリックシフトパラメータを決定し、かつ前述したように、上記第２−１サイクリックシフトパラメータグループで算出される上記直交性と関連した第１情報は、上記第２−２サイクリックシフトパラメータグループで算出される上記直交性と関連した第２情報と相異するように決定する。
【００８９】
0005890395.tif 000019
【００９０】
0005890395.tif 000020
【００９１】
0005890395.tif 000021
【００９２】
0005890395.tif 000022
【００９３】
【表５】
0005890395.tif 000023
【００９４】
0005890395.tif 000024
【００９５】
＜表５＞の構成を適用する場合、上位段でスケジューリング（scheduling）されて決まった最初のレイヤ（layer）に循環遅延（Cyclic Shift：ＣＳ）値を、ｅＮｏｄｅＢを通じて端末（ＵＥ）に下げてくれれば、（シグナリング（signaling）してくれれば）、その値から他のレイヤ（layer）の循環遅延（Cyclic Shift：ＣＳ）値及び所定の直交性割当ルールに従って各レイヤ（layer）のＯＣＣを割り当てることができる。
【００９６】
まず、直交性割当ルールが非同一方式の場合を説明すると、次の通りである。
【００９７】
0005890395.tif 000025
【００９８】
ｅＮｏｄｅＢは上記生成された制御情報を送信する。より詳しくは、この３ビットの値はＤＣＩフォーマット０にＣＳ（Cyclic shift）フィールドに乗せて送信できる。
【００９９】
0005890395.tif 000026
【０１００】
0005890395.tif 000027
【０１０１】
0005890395.tif 000028
【０１０２】
0005890395.tif 000029
【０１０３】
0005890395.tif 000030
【０１０４】
＜数式３＞はＣＳ割当ルールの一実施形態を表している。
【０１０５】
【数３】
0005890395.tif 000031
【０１０６】
＜数式３＞において第１レイヤは最初のレイヤを意味する。第２、３、...のレイヤは全て２番目、３番目、...のレイヤを意味する。ランク（rank）はレイヤの数を意味する。
【０１０７】
＜数式３＞においてランク２（即ち、レイヤが２つの場合）の３６０度内で最大に離隔するように６の間隔（１８０度）で第１及び第２レイヤのＣＳ値が設定されるようにする。ランク３の場合には３６０内で最大に離隔するように４の間隔（１２０度）、そしてランク４の場合、３６０度内で最大に離隔するように６、３、１２の間隔になるようにＣＳ値が設定される。
【０１０８】
したがって、第１レイヤのＣＳ値が設定されれば、以後、他のレイヤは第１レイヤと比較してＣＳ値に対してランク数に従って最大の距離を有するように割り当てられる。
【０１０９】
0005890395.tif 000032
【０１１０】
0005890395.tif 000033
【０１１１】
【数４】
0005890395.tif 000034
【０１１２】
0005890395.tif 000035
【０１１３】
即ち、＜表６＞に提示されたケース５の場合で見るように、ＭＵ−ＭＩＭＯ環境でＵＥの数は２以上であることもあるが、このような場合にもＯＣＣを適用するためには必ず互いに異なる帯域幅を有し、割り当てられる（non-equal bandwidth resource allocation）ＵＥは２つのグループにならなければならず、このグループの内のＵＥには同一なＣＳ−ＯＣＣリンケージグループの内のＣＳパラメータ値を第１レイヤのＣＳパラメータ値にスケジューリングして転送するようになるが、割り当てられる帯域幅の異なるＵＥグループの間には必ず互いに異なるＣＳ−ＯＣＣリンケージグループの内のＣＳパラメータ値を第１レイヤのＣＳパラメータ値でスケジューリングして転送しなければならない。
【０１１４】
【表６】
0005890395.tif 000036
【０１１５】
割り当てられたレイヤに対し、ＣＳ、ＯＣＣ計算が完了すれば、ＵＥは以下の各レイヤに対してベースシーケンスと各レイヤ別に定まったＣＳ（Cyclic Shift）値αに＜数式１＞を適用して各レイヤのＤＭ−ＲＳシーケンスを生成し、各レイヤ別に定まったＯＣＣインデックスでのシーケンス値（＋１または−１）を掛けて最終ＵＬ ＤＭ−ＲＳシーケンスを生成するようになる。即ち、ＯＣＣが｛＋１、＋１｝の場合、最初のシンボル（あるいは、スロット当たりシンボルが１つの場合、１つのサブフレームの最初のスロット）のＤＭ−ＲＳシーケンスは＜数式１＞の値をそのままに適用、２番目のシンボル（あるいは、スロット当たりシンボルが１つの場合、１つのサブフレームの２番目のスロット）のＤＭ−ＲＳシーケンスも＜数式１＞の値をそのままに適用する。ＯＣＣが｛＋１、−１｝の場合には、最初のシンボル（あるいは、スロット当たりシンボルが１つの場合、１つのサブフレームの最初のスロット）のＤＭ−ＲＳシーケンスは＜数式１＞の値をそのままに適用するが、２番目のシンボル（あるいは、スロット当たりシンボルが１つの場合、１つのサブフレームの２番目のスロット）のＤＭ−ＲＳシーケンスは＜数式１＞の値に−１を掛けて適用する。
【０１１６】
前述したＳＵ−ＭＩＭＯでの各レイヤ（layer）の区分、ＭＵ−ＭＩＭＯで複数のＵＥ区分において同時に最適化されたＣＳ（Cyclic Shift）及びＯＣＣ（Orthogonal Cover Code）割当を満たすようにするＣＳ及びＯＣＣ割当ルールは、ＳＵ−ＭＩＭＯではＵＥ当たりランク数を４までサポートするが、ＭＵ−ＭＩＭＯではＵＥ当たりランク数を２までサポートする。仮に、ＭＵ−ＭＩＭＯではＵＥ当たりランク数を４までサポートするようになれば、ＳＵ−ＭＩＭＯとＭＵ−ＭＩＭＯでのＣＳ及びＯＣＣ割当ルールを異にしなければ、ＳＵ−ＭＩＭＯでの各レイヤ（layer）の区分及びＭＵ−ＭＩＭＯで複数個の端末（ＵＥ）の区分において同時に最適化されたＣＳ（Cyclic Shift）及びＯＣＣ（Orthogonal Cover Code）割当を行うことができない。即ち、ＳＵ−ＭＩＭＯなどでレイヤ（layer）の区分のみのためには、各レイヤ（layer）のＯＣＣインデックス値は互いに交差するようにすることが最高の直交性（orthogonality）を保証する。即ち、最初のレイヤ（layer）のＯＣＣインデックス値が０であれば、２番目のレイヤ（layer）のＯＣＣインデックス値は１、３番目のレイヤ（layer）のＯＣＣインデックス値は０、４番目のレイヤ（layer）のＯＣＣインデックス値は１にすることがその例である。そして、ＭＵ−ＭＩＭＯで２つのＵＥの間の区分のためには、各々のＵＥは各レイヤ（layer）で同一なＯＣＣインデックスを有しなければならない。即ち、ＭＵ−ＭＩＭＯ環境でＵＥ＃１がＯＣＣインデックスを０に有し、ＵＥ＃２がＯＣＣインデックスを１に有したとすれば、ＵＥ＃１は全てのレイヤ（layer）に対してＯＣＣインデックス値を０に有しなければならず、ＵＥ＃２は全てのレイヤ（layer）に対してＯＣＣインデックス値を１に有しなければならない。
【０１１７】
このようなＳＵ−ＭＩＭＯでの各レイヤ（layer）の区分、ＭＵ−ＭＩＭＯで複数個のＵＥの区分において同時に最適化されたＯＣＣ（Orthogonal Cover Code）割当を満たすためには、またＳＵ−ＭＩＭＯだけでなくＭＵ−ＭＩＭＯでもＵＥ当たりランク数を４までサポートするためには、ＳＵ−ＭＩＭＯとＭＵ−ＭＩＭＯでのＣＳ及びＯＣＣ割当ルールを異にしなければならない。このためには、ＳＵ−ＭＩＭＯ及びＭＵ−ＭＩＭＯのための追加的な１ビットシグナリングを付与したり、ＵＥがＳＵ−ＭＩＭＯかＭＵ−ＭＩＭＯかを自ら知ることができるシステムが必要である。本明細書では、ＵＥがＳＵ−ＭＩＭＯかＭＵ−ＭＩＭＯかを自ら知ることができない一般的なシステムにおいて、追加的なシグナリングがなくても内在的に（implicit）ＳＵ−ＭＩＭＯとＭＵ−ＭＩＭＯでのＣＳ及びＯＣＣ割当ルールを異にするようにすることについて説明した。図５のｅＮｏｄｅＢは、ＵＥがＳ５２５でＭＵ−ＭＩＭＯか否かを知ることができるかを確認するようになるが、仮に、ＵＥが自ら知ることができるシステムの場合には、図５のステップＳ５４０を進行する。同様に、ＵＥが自ら知ることはできないが、ＳＵ−ＭＩＭＯかＭＵ−ＭＩＭＯかを知らせてくれるネットワークの場合、例えば、シーケンスまたはシーケンスグループホッピングなどを通じて判断できる場合にもステップＳ５４０を進行することができる。一方、ＵＥが自ら知ることができず、ＳＵ−ＭＩＭＯかＭＵ−ＭＩＭＯかを知らせるくれることがＣＳ−ＯＣＣリンケージルールを通じて確認できる場合、このようなリンケージルールを用いて適用することができる。
【０１１８】
また、ｅＮｏｄｅＢは図５のＳ５４０（Ｓ５３０含み）のみのために設計されることができ、反対に、Ｓ５４５（Ｓ５３５含み）のみのために設計できる。即ち、各ｅＮｏｄｅＢは図５のＳ５２２及びＳ５２５の判断ステップ無しでＵＥが直接または間接的にＳＵ−ＭＩＭＯかＭＵ−ＭＩＭＯかを確認することができる時に行われるステップ（Ｓ５３０、Ｓ５４０）のみを考慮して構成されて動作することもでき、ＵＥが直接または間接的にＳＵ−ＭＩＭＯかＭＵ−ＭＩＭＯかを確認することができない時に行われるステップ（Ｓ５３５、Ｓ５４５）のみを考慮して構成されて動作することもできる。言い換えると、図５は判断ステップを含んで２つのステップを含んで構成され、状況によって１つのステップを選択して動作されれば、判断ステップ無しで２つのステップが分離され、ｅＮｏｄｅＢは１つのステップのみのために構成されて動作される。
【０１１９】
図６は、本明細書の一実施形態により基地局が送信した制御情報からＵＥがＯＣＣ及び直交性割当ルールを類推して設定するステップを示す図である。
【０１２０】
この処理は１つ以上のレイヤを使用するＵＥがｅＮｏｄｅＢから第１レイヤに対するサイクリックシフトパラメータを受信して、上記受信した第１レイヤに対するサイクリックシフトパラメータから第１レイヤに対する直交性と関連した情報を算出し、追加割当するレイヤがあれば、第１レイヤに対するサイクリックシフトパラメータで上記追加割当された該当レイヤに対するサイクリックシフトパラメータを算出し、直交性割当ルールを選択する。そして、上記第１レイヤに対する直交性と関連した情報と上記直交性割当ルールを用いて上記追加割当された該当レイヤに対する直交性と関連した情報を算出し、上記第１レイヤに対するサイクリックシフトパラメータ及び上記第１レイヤに対する直交性と関連した情報を用いて上記第１レイヤに対する参照信号を生成し、上記追加割当された該当レイヤに対するサイクリックシフトパラメータ及び上記追加割当された該当レイヤに対する直交性と関連した情報を用いて上記追加割当された該当レイヤに対する参照信号を生成した後、生成された参照信号を基地局に送信するステップで構成される。
【０１２１】
より詳しく説明すると、次の通りである。ｅＮｏｄｅＢから制御情報を受信する（Ｓ６１０）。制御情報の一実施形態はＰＤＣＣＨに乗せて送信される情報になることができる。制御情報で第１レイヤに対するサイクリックシフトパラメータを算出する（Ｓ６２０）。上記ＰＤＣＣＨの場合、ＤＣＩフォーマット０に上記第１レイヤに対するサイクリックシフトパラメータが含まれることができる。そして、上記第１レイヤに対するサイクリックシフトパラメータで第１レイヤに対する直交性と関連した情報を算出する（Ｓ６３０）。上記第１レイヤに対する直交性と関連した情報の例はＯＣＣに対する指示情報になることができる。第１レイヤに対するサイクリックシフトパラメータから所定の関数または上記第１レイヤに対するサイクリックシフトパラメータが含まれたグループを通じて上記第１レイヤに対する直交性と関連した情報を算出することができる。即ち、第１レイヤに対するサイクリックシフトパラメータは特定サイクリックシフトパラメータグループに属し、上記第１レイヤに対する直交性と関連した情報は上記第１レイヤに対するサイクリックシフトパラメータが属する上記特定サイクリックシフトパラメータグループと連係されたＯＣＣなどの直交性と関連した情報であることを特徴とする。
【０１２２】
上記第１レイヤに対するサイクリックシフトパラメータと上記第１レイヤに対する直交性と関連した情報は、第１レイヤに対する参照信号の生成に使われる。
【０１２３】
そして、レイヤに対し、直交性関連情報の割当または算出に必要とする直交性割当ルールを選択する（Ｓ６３５）。これは、先の図４で説明したように、第１レイヤに対する直交性関連情報を用いて他のレイヤにどんな方式により直交性関連情報を割り当てるかに対するルールである。前述した同一方式と非同一方式が含まれることができる。また、直交性割当ルールを選択するに当たって、ＵＥが現在の接続状態を確認したり、またはシーケンスホッピング、シーケンスグループホッピングなどを通じて類推して確認するステップを追加することができる。また、これと異なる方式により第１レイヤに対するサイクリックシフトパラメータを通じてどの直交性割当ルールを適用することかを選択することができる。このような直交性割当ルールを選択する方式については後述する。
【０１２４】
追加で割り当てるレイヤが存在するかを判断する（Ｓ６４０）。追加で割り当てられるレイヤが存在する場合、第１レイヤに対するサイクリックシフトパラメータから上記追加で割り当てられた該当レイヤ対するサイクリックシフトパラメータを算出する（Ｓ６５０）。同様に、第１レイヤに対する直交性と関連した情報及び選択した直交性割当ルールを用いて上記追加で割り当てられた該当レイヤ対する直交性と関連した情報を算出する（Ｓ６６０）。
【０１２５】
そして、追加で割り当てるレイヤがこれ以上存在しなければ、割り当てられたレイヤの各々に対して参照信号を生成する（Ｓ６７０）。そして、生成された参照信号をｅＮｏｄｅＢに送信する（Ｓ６８０）。参照信号の一実施形態はＤＭ−ＲＳになることができる。
【０１２６】
上記直交性と関連した情報は、直交性カバーコード（orthogonality cover code）を指示する情報になることができる。
【０１２７】
図７及び図８では、本明細書の一実施形態によるシーケンスホッピング情報を用いて直交性割当ルールを選択してレイヤ別にＯＣＣ値を割り当てて、またレイヤ別にＣＳ値を割り当てて参照信号を生成して送信するステップを示す図である。
【０１２８】
図７及び図８に適用される直交性割当ルールの選択は、シーケンスやシーケンスグループホッピング（sequence or sequence group hopping：以下、ホッピング（hopping）という）方式によりＣＳ及びＯＣＣ割当ルールを異にする処理のフローチャートである。
【０１２９】
図７及び８の直交性割り当て規則の選択は、シーケンスホッピング方式またはシーケンスグループホッピング方式に応じて異なるＣＳ及びＯＣＣ割り当て規則を使用する。即ち、ホッピング方式によりＤＭ−ＲＳシーケンスがＳＵ−ＭＩＭＯとして作用することか、または均等リソース割当（equal sized Resource allocation）方式のＭＵ−ＭＩＭＯの場合と、非均等リソース割当（non-equal sized Resource allocation）方式のＭＵ−ＭＩＭＯの場合に分けて区分するものである。例えば、復調参照信号（ＤＭ−ＲＳ）シーケンスのためのホッピング方式がＬＴＥ Ｒｅｌ−８システムでの活性化（enabled）の場合、即ちスロット（slot）単位のホッピングの場合には後述する＜数式５＞でのＣＳ及びＯＣＣ割当ルールの適用を受ける。これは、多重接続状態がＳＵ−ＭＩＭＯとして（または、equal sized Resource allocation方式のＭＵ−ＭＩＭＯ含み）作用するケースに該当する。仮に、ＤＭ−ＲＳシーケンスのためのホッピング方式がＬＴＥ Ｒｅｌ−８システムでの非活性化（disabled）であるか、あるいはサブフレーム単位のホッピングなど、既存のＬＴＥ Ｒｅｌ−８システムでのスロット（slot）単位のホッピングでない場合には、後述する＜数式６＞でのＣＳ及びＯＣＣ割当ルールの適用を受ける。これは、多重接続状態がＭＵ−ＭＩＭＯとして（特に、non-equal sized Resource allocation方式のＭＵ−ＭＩＭＯ）作用する場合に該当する。より詳細に説明すると、次の通りである。
【０１３０】
図７は、本明細書の一実施形態によりＵＥで基地局が送信した制御情報からＵＥが直交性割当ルールを選択してＯＣＣを算出する処理のフローチャートである。
【０１３１】
0005890395.tif 000037
【０１３２】
Ｓ７１０は、システムの構成または多重接続状態を反映して図７の多数のステップの以後に進行されることができ、図７の多様なステップと結合して進行することができる。
【０１３３】
0005890395.tif 000038
【０１３４】
ｅＮｏｄｅＢは、上記生成された制御情報を送信する（Ｓ７２０）。より詳しくは、この３ビットの値はＤＣＩフォーマット０にＣＳ（Cyclic shift）フィールドに乗せて送信できる。
【０１３５】
0005890395.tif 000039
【０１３６】
0005890395.tif 000040
【０１３７】
0005890395.tif 000041
【０１３８】
0005890395.tif 000042
【０１３９】
ＣＳ割当が完了すれば、直交性割当ルールを選択することが必要である。したがって、ＵＥはシーケンスホッピング方式が何の方式であるかを確認する（Ｓ７３６）。そして、確認した結果、シーケンスホッピング方式が活性化（enable）またはスロット単位ホッピングの場合、ＳＵ−ＭＩＭＯ、または均等リソース割当方式のＭＵ−ＭＩＭＯであることを類推することができる。この場合、ＵＥのレイヤを区別するためにＯＣＣを割り当てることができるので、直交性割当ルールを非同一方式、即ち交差または両分方式に選択して残りのレイヤに対してＯＣＣ値を計算することができる（Ｓ７３７）。これは＜数式５＞で見ることができる。
【０１４０】
シーケンスホッピングが非活性化（disable）またはサブフレーム単位ホッピングの場合、ＭＵ−ＭＩＭＯ、より詳しくは、非均等リソース割当方式のＭＵ−ＭＩＭＯであることを類推することができる。この場合、ＵＥを互いに区別するためにＯＣＣを割り当てることができるので、直交性割当ルールをレイヤに対して同一方式に選択して残りのレイヤに対して第１レイヤのＯＣＣと同一なＯＣＣ値を計算することができる（Ｓ７３９）。これは＜数式６＞で見ることができる。
【０１４１】
＜数式５＞は、スロット単位の周波数ホッピング（または、シーケンスホッピングが活性化された場合）のＣＳ割当と直交性割当ルールによるレイヤ別ＣＳ／ＯＣＣ値を表している。＜数式５＞での直交性割当ルールは非同一方式であり、また交差方式を提示している。
【０１４２】
【数５】
0005890395.tif 000043
【０１４３】
＜数式６＞は、サブフレーム単位周波数ホッピング（または、シーケンスホッピングが非活性化された場合）のＣＳ割当と直交性割当ルールによるレイヤ別ＣＳ／ＯＣＣ値を表している。＜数式６＞ではユーザ端末が２つ存在し（ＵＥ Ａ、ＵＥ Ｂ）、これらユーザ端末に各々割り当てられる最初のレイヤのＣＳパラメータ値は互いに相異する値を有する。その結果、２つユーザ端末は互いに異なるＯＣＣ値を有し、このＯＣＣはＵＥの内の全てのレイヤに同一に適用される。その結果、ＵＥ Ａの全てのレイヤに含まれたＯＣＣ値は全て同一であり、ＵＥ Ｂの全てのレイヤに含まれたＯＣＣ値やはり全て同一であるが、ＵＥ ＡのＯＣＣ値とＵＥ ＢのＯＣＣ値とは互いに相異するので、ＵＥ ＡとＵＥ Ｂの参照信号の直交性をより明確に保証することができる。
【０１４４】
【数６】
0005890395.tif 000044
【０１４５】
割り当てられたレイヤに対し、ＣＳ、ＯＣＣ計算が完了すれば、以下の各レイヤに対してベースシーケンスと各レイヤ別に定まったＣＳ（Cyclic Shift）値αに前述した数式を適用して各レイヤのＤＭ−ＲＳシーケンスを生成し、各レイヤ別に定まったＯＣＣインデックスでのシーケンス値（＋１または−１）を掛けて最終ＵＬ ＤＭ−ＲＳシーケンスを生成する（Ｓ７４５）。例えば、＜数式５＞が適用される場合、ＯＣＣが｛＋１、＋１｝の場合、最初のシンボル（あるいは、スロット当たりシンボルが１つの場合、１つのサブフレームの最初のスロット）のＤＭ−ＲＳシーケンスは＜数式５＞の値をそのままに適用、２番目のシンボル（あるいは、スロット当たりシンボルが１つの場合、１つのサブフレームの２番目のスロット）のＤＭ−ＲＳシーケンスも＜数式５＞の値をそのままに適用する。ＯＣＣが｛＋１、−１｝の場合には、最初のシンボル（あるいは、スロット当たりシンボルが１つの場合、１つのサブフレームの最初のスロット）のＤＭ−ＲＳシーケンスは＜数式５＞の値をそのままに適用するが、２番目のシンボル（あるいは、スロット当たりシンボルが１つの場合、１つのサブフレームの２番目のスロット）のＤＭ−ＲＳシーケンスは＜数式５＞の値に−１を掛けて適用する。
【０１４６】
そして、生成されたＤＭ−ＲＳシーケンスは、各スロットの該当シンボルにマッピングされるが、これはリソース資源マッパー（resource element mapper）を通じてマッピングされる（Ｓ７５０）。上記シンボルは、ＰＵＳＣＨと連係されたＤＭ−ＲＳのマッピングされるシンボルは、前述したように、ノーマル（normal）ＣＰ（Cyclic Prefix）を使用する場合、毎スロット（slot）の７番目のシンボルのうちの４番目のシンボルに、そして拡張（extended）ＣＰ使用時には毎スロットのシンボルのうちの３番目のシンボルに該当する。ＰＵＣＣＨと連係されたＤＭ−ＲＳの場合、上記該当シンボルは毎スロットで最大３個のシンボルになることができ、該当シンボルの個数及び位置は前述した＜表３＞のようにＣＰの種類とＰＵＣＣＨのフォーマットによって相異する。上記マッピングが完了すれば、ＳＣ ＦＤＭＡ生成器（generator）を通じて上記ＤＭ−ＲＳシーケンスがマッピンされたリソースエレメント（Resource Element、ＲＥ）からＳＣ−ＦＤＭＡシンボルを生成し（Ｓ７５５）、ＤＭ−ＲＳ信号を基地局に転送する（Ｓ７６０）。
【０１４７】
ＤＭ−ＲＳシーケンスのためのホッピング方式がＬＴＥ Ｒｅｌ−８システムでの活性化（enabled）の場合、即ちスロット（slot）単位のホッピングの場合には、各レイヤでのＯＣＣは各々のレイヤを最大限区分するためには互いに異なるＯＣＣインデックス値の割当を受けるようになる。即ち、＜数式５＞に表すように、各レイヤでのＯＣＣインデックス値は、互いに交差して割当を受けるようになる。即ち、最初のレイヤ（layer）のＯＣＣインデックス値が０であれば、２番目のレイヤ（layer）のＯＣＣインデックス値は１、３番目のレイヤ（layer）のＯＣＣインデックス値は０、４番目のレイヤ（layer）のＯＣＣインデックス値は１にすることがその例である。この際、上位段がスケジューリングしてシグナリングするようになる最初のレイヤのためのＣＳ値は、上記＜表２＞の８種類のＣＳ値のうちの１つとなり、これは上位段によって３ビット値でシグナリングされる。上記＜数式５＞は直交性割当ルールが非同期方式のうちの交差方式であり、以下の＜数式７＞のように非同期方式であり、両分方式にも変形できる。この際、ＯＣＣ値は最初の２つのレイヤに対しては同一であり、残りの２つのレイヤに対しては互いに異なる値を有し、両分される。
【０１４８】
【数７】
0005890395.tif 000045
【０１４９】
0005890395.tif 000046
【０１５０】
0005890395.tif 000047
【０１５１】
【数８】
0005890395.tif 000048
【０１５２】
図８は、本明細書の一実施形態によりＭＵ−ＭＩＭＯ環境のＵＥが基地局が送信した制御情報から直交性割当ルールを選択してＯＣＣを算出する処理のフローチャートである。
【０１５３】
図８では、第１のＵＥグループと第２のＵＥグループで、第１のＵＥグループの内の１つのＵＥであるＵＥ１ ８０１と第２のＵＥグループの内の１つのＵＥであるＵＥ２ ８０２に対して基地局であるｅＮｏｄｅＢ ８０９が３ビットのＣＳパラメータを設定して制御情報に送信するステップを示す。ここで、各々のＵＥグループは１つ以上の端末を含むことができる。図８を参照する説明では、各々のＵＥグループが１つの端末に該当する場合を仮定することにする。この際、ＯＣＣ値を別にシグナリングせず、ＵＥ８０１、８０２がＣＳパラメータを通じて算出できるようにする。また、シーケンスホッピングを通じてＵＥは直交性割当ルールを確認することができる。図８では、ＭＵ−ＭＩＭＯの場合を中心として説明するので、シーケンスホッピングが非活性化またはサブフレーム別にホッピングする場合に限定し、その結果、直交性割当ルールやはり同一方式に限定されて進行される。
【０１５４】
0005890395.tif 000049
【０１５５】
Ｓ８１０、Ｓ８１５は、システムの構成または多重接続状態を反映して図８の多数のステップの以後に進行されることができ、図８の多様なステップと結合して進行することができる。
【０１５６】
0005890395.tif 000050
【０１５７】
0005890395.tif 000051
【０１５８】
0005890395.tif 000052
【０１５９】
0005890395.tif 000053
【０１６０】
また、ステップＳ８１８、Ｓ８１９の送信は、順次に、または時間的な間隔を置いてなされることができ、Ｓ８１６やはりＵＥ＃１、ＵＥ＃２に対して時間的な差を置いて制御情報を生成して送信することができる。また、以下のＵＥ＃１、２でなされるステップやはり各々独立的になされるものであるので、ＵＥ＃１の各々のステップとＵＥ＃２の各々のステップは互いに時間的に特定の順序に限定されず、同時に進行されることに限定されない。以下、このような独立的なステップにもＵＥ１、２で進行されるステップその自体は同一であるので、共に説明しようとするが、このような説明が図８の各ステップがＵＥ１、２で同時にあるいは何の連関性を有して進行されることを意味するものではない。
【０１６１】
0005890395.tif 000054
【０１６２】
0005890395.tif 000055
【０１６３】
0005890395.tif 000056
【０１６４】
0005890395.tif 000057
【０１６５】
0005890395.tif 000058
【０１６６】
0005890395.tif 000059
【０１６７】
0005890395.tif 000060
【０１６８】
0005890395.tif 000061
【０１６９】
0005890395.tif 000062
【０１７０】
0005890395.tif 000063
【０１７１】
Ｓ８３０、Ｓ８３５で、ＵＥ＃１ ８０１はＯＣＣインデックスに０を有し、［＋１、＋１］をＯＣＣ値として算出した。そして、ＵＥ＃２ ８０２はＯＣＣインデックスに１を有し、［＋１、−１］をＯＣＣ値として算出した。その結果、ＵＥ＃１ ８０１のレイヤの各々に対するＯＣＣインデックス値は、i）ランクが２の場合、第１、２レイヤに対して各々｛０，０｝となり、iii）ランク３の場合、第１、２、３レイヤに対して各々｛０，０，０｝となり、iv）ランク４の場合、第１、２、３、４レイヤに対して各々｛０，０，０，０｝となる。
【０１７２】
ＵＥ＃２ ８０２のレイヤの各々に対するＯＣＣインデックス値は、i）ランクが２の場合、第１、２レイヤに対して各々｛１，１｝となり、iii）ランク３の場合、第１、２、３レイヤに対して各々｛１，１，１｝となり、iv）ランク４の場合、第１、２、３、４レイヤに対して各々｛１，１，１，１｝となる。
【０１７３】
割り当てられたレイヤに対し、ＣＳ、ＯＣＣ計算が完了すれば、ＵＥ＃１ ８０１とＵＥ＃２ ８０２は以下の各レイヤに対してベースシーケンスと各レイヤ別に定まったＣＳ（Cyclic Shift）値αに＜数式１＞を適用して各レイヤのＤＭ−ＲＳシーケンスを生成し、各レイヤ別に定まったＯＣＣインデックスでのシーケンス値（＋１または−１）を掛けて最終のＵＬ ＤＭ−ＲＳシーケンスを生成する（Ｓ８６０、Ｓ８６５）。そして、生成されたＤＭ−ＲＳシーケンスは各スロットの該当シンボルにマッピングされるが、これはリソース資源マッパー（resource element mapper）を通じてマッピングされる（Ｓ８７０、Ｓ８７５）。上記シンボルはＰＵＳＣＨと連係されたＤＭ−ＲＳのマッピングされるシンボルは、前述したように、ノーマル（normal）ＣＰ（Cyclic Prefix）を使用する場合、毎スロット（slot）の７番目のシンボルのうちの４番目のシンボルに、そして拡張（extended）ＣＰ使用時には毎スロットのシンボルのうちの３番目のシンボルに該当する。ＰＵＣＣＨと連係されたＤＭ−ＲＳの場合、上記該当シンボルは毎スロットで最大３個のシンボルになることができ、該当シンボルの個数及び位置は前述した＜表３＞のようにＣＰの種類とＰＵＣＣＨのフォーマットによって相異する。上記マッピングが完了すれば、ＳＣ ＦＤＭＡ生成器（generator）を通じて上記ＤＭ−ＲＳシーケンスがマッピングされたリソースエレメント（Resource Element：ＲＥ）からＳＣ−ＦＤＭＡシンボルを生成し（Ｓ８８０、Ｓ８８５）ＤＭ−ＲＳ信号を基地局に転送する（Ｓ８９０、Ｓ８９５）。
【０１７４】
図７及び図８は、ＵＥがシーケンスホッピング方式を判断して直交性割当ルールを選択するステップを示している。
【０１７５】
図７及び図８は、ＵＥがシーケンスホッピング方式を判断して直交性割当ルールを選択するステップを示している一方、図９及び図１０に従って基地局でＣＳ値を割り当てるステップでＵＥが直交性割当ルールを類推できるように内在的な方式により提供することができる。
【０１７６】
より詳しく説明すると、＜表５＞に提示された方式をより細分化して、ＣＳ−ＯＣＣリンケージグループをＳＵ−ＭＩＭＯ及びＭＵ−ＭＩＭＯによって分けられる方式である。即ち、ＣＳ−ＯＣＣリンケージグループをＳＵ−ＭＩＭＯ用及びＭＵ−ＭＩＭＯ用に２つに大別され、ＭＵ−ＭＩＭＯ用をまた２つのＵＥのための２つのグループに分ける方式である。その分ける方式の一例は、以下の＜表９＞の通りである。＜表９＞ではＣＳパラメータによってリンケージグループがＡ／Ｂ（Ｂ−１、Ｂ−２）に分けられて、これに対するＯＣＣインデックスをＵＥが類推することができ、また直交性割当ルールやはり類推することができる。
【０１７７】
【表７】
0005890395.tif 000064
【０１７８】
上記の方法は第１レイヤのためのＣＳパラメータ値に従って異なるＣＳ及びＯＣＣ割当ルールが使用される。即ち、第１レイヤのためのＣＳパラメータ値がＳＵ−ＭＩＭＯのためのＣＳ−ＯＣＣリンケージグループ（Ａ）に属するか、あるいはＭＵ−ＭＩＭＯのためのＣＳ−ＯＣＣリンケージグループ（Ｂ−１、Ｂ−２）に属するかによってＣＳ及びＯＣＣ割当ルールが変わる。例えば、最初のレイヤのためのＣＳパラメータ値がＳＵ−ＭＩＭＯのためのＣＳ−ＯＣＣリンケージグループ（上記＜表７＞のグループＡ）に属する場合、以下の＜数式９＞でのＣＳ及びＯＣＣ割当ルールの適用を受ける。仮に、最初のレイヤのためのＣＳパラメータ値がＭＵ−ＭＩＭＯのためのＣＳ−ＯＣＣリンケージグループ（上記＜表９＞に提示されたグループＢ−１またはＢ−２）に属する場合には、以下の＜数式１０＞でのＣＳ及びＯＣＣ割当ルールの適用を受ける
【０１７９】
＜数式９＞はリンケージグループＡの場合に適用される場合を表す。
【０１８０】
【数９】
0005890395.tif 000065
【０１８１】
第１レイヤのためのＣＳパラメータ値がＳＵ−ＭＩＭＯのためのＣＳ−ＯＣＣリンケージグループ（上記＜表７＞に提示されたグループＡ）に属する場合、上記＜数式９＞でのＣＳ及びＯＣＣ割当ルールの適用を受けるようになるが、この際、ＣＳ及びＯＣＣ割当ルールは＜数式９＞に表すように、各レイヤでのＯＣＣインデックス値は互いに交差して割当を受けるようになる。
【０１８２】
言い換えると、第１レイヤ（layer）のＯＣＣインデックス値が０であれば、２番目のレイヤ（layer）のＯＣＣインデックス値は１、３番目のレイヤ（layer）のＯＣＣインデックス値は０、４番目のレイヤ（layer）のＯＣＣインデックス値は１にすることがその例である。この際、上位段がスケジューリングしてシグナリングするようになる最初のレイヤのためのＣＳ値は、上記＜表９＞に表すように、ＣＳ−ＯＣＣリンケージグループのうち、ＳＵ−ＭＩＭＯのためのグループに属する４種類のＣＳ値のうちの１つとなる。
【０１８３】
＜数式１０＞は、リンケージグループＢ（Ｂ−１、Ｂ−２）の場合に適用される場合を表す。
【０１８４】
【数１０】
0005890395.tif 000066
【０１８５】
第１レイヤのためのＣＳパラメータ値がＭＵ−ＭＩＭＯのためのＣＳ−ＯＣＣリンケージグループ（上記＜表７＞に提示されたグループＢ）に属する場合には、＜数式１０＞に表すように、ＵＥ別には互いに異なるＯＣＣ値の割当を受けるようになるが、各レイヤ別には同一なＯＣＣインデックスの割当を受けるようになる。即ち、ＭＵ−ＭＩＭＯ環境でＵＥ１がＯＣＣインデックスを０に有し、ＵＥ２がＯＣＣインデックスを１に有したとすれば、ＵＥ＃１は全てのレイヤ（layer）に対してＯＣＣインデックス値を０に有しなければならず、ＵＥ＃２は全てのレイヤ（layer）に対してＯＣＣインデックス値を１に有しなければならない。
【０１８６】
0005890395.tif 000067
【０１８７】
上記＜数式９＞は、次の＜数式１１＞のような方式でも変形できる。この際、ＯＣＣインデックス値は最初の２つのレイヤに対しては同一であり、残りの２つのレイヤに対しては互いに異なる値を有し、両分される。即ち、＜数式９＞は直交性割当ルールの非同一方式のうちの交差方式であり、＜数式１１＞は直交性割当ルールの非同一方式のうちの両分方式を表す。上記＜数式１０＞は、＜数式１１＞と連係して＜数式１２＞のような方式でも構成できる。
【０１８８】
【数１１】
0005890395.tif 000068
【０１８９】
【数１２】
0005890395.tif 000069
【０１９０】
＜数式１１＞及び＜数式１２＞で、サイクリックシフト（ＣＳ）割当ルールは、ランク（rank）、即ちレイヤの個数が４までの場合を考慮して表で表現する場合、前述した＜表６＞と同一である。
【０１９１】
ＣＳパラメータがどのリンケージグループに含まれるかを中心として判断する処理は、前述した図７及び図８とほとんど類似している。
【０１９２】
図９は、ｅＮｏｄｅＢでＣＳ値を割り当てるステップでＵＥが直交性割当ルールを類推できるように内在的な方式により提供する処理のフローチャートである。
【０１９３】
図９で、ステップＳ９１５、Ｓ９３６のみ図７のステップと相異し、その他のステップ（Ｓ７１０、Ｓ７２０、Ｓ７２５、Ｓ７３０、Ｓ７３５、Ｓ７３７、Ｓ７３９、Ｓ７４５、Ｓ７５０、Ｓ７５５、Ｓ７６０）は図７のステップと同一であるところ、図７の説明に代えようとする。
【０１９４】
0005890395.tif 000070
【０１９５】
そして、ＯＣＣ値でＣＳパラメータがどのグループに含まれるかを確認する。＜表９＞に提示されたリンケージグループのうち、グループＡ（第１リンケージグループ）に含まれたＣＳ値の場合、ＯＣＣ値はレイヤを区分できるように設定された直交性割当ルールである非同一方式の交差または両分方式の直交性割当ルールを適用して残りのレイヤに対して設定する（Ｓ７３７）。
【０１９６】
一方、ＣＳ値が＜表９＞に提示されたリンケージグループＢに属する場合、ＯＣＣ値はレイヤでないＵＥを区分できるように設定された直交性割当ルールである同一方式の直交性割当ルールを適用されて、残りのレイヤに対して同一なＯＣＣ値が設定されるようにする（Ｓ７３９）。以後、各レイヤに対してＣＳ値とＯＣＣを適用して参照信号シーケンスを生成して基地局に送信するステップは、図７のステップＳ７４５、Ｓ７５０、Ｓ７５５、Ｓ７６０と同一であるので、これに対する説明に代えようとする。
【０１９７】
図１０は、本明細書の一実施形態によりＭＵ−ＭＩＭＯにおいて、ＵＥでｅＮｏｄｅＢが送信した制御情報からＵＥが直交性割当ルールを選択してＯＣＣを算出する処理のフローチャートである。
【０１９８】
図１０で、ステップＳ１０１５、Ｓ１０５０、Ｓ１０５５のみ図８のステップと相異し、その他のステップは図８のステップと同一であるところ、図８の説明に代えようとする。
【０１９９】
第１のＵＥグループと第２のＵＥグループで、第１のＵＥグループの内のＵＥ＃１ ８０１と第２のＵＥグループの内のＵＥ＃２ ８０２に対して基地局であるｅＮｏｄｅＢ ８０９が３ビットのＣＳパラメータを設定して制御情報に送信するステップを示す。ここで、各々のＵＥグループは１つ以上の端末を含むこともできるが、一般的に２つのユーザ端末を考慮する場合、各々のＵＥグループは１つの端末に該当する。この際、ＯＣＣ値を別途にシグナリングしなくてＵＥ８０１、８０２がＣＳパラメータを通じて算出できるようにする。また、シーケンスホッピングを通じてＵＥは直交性割当ルールを確認することができる。図１０では、ＭＵ−ＭＩＭＯの場合を中心として説明するので、リンケージグループＢ−１／Ｂ−２に限定されて選択し、その結果、直交性割当ルールやはり同一方式に限定されて進行される。
【０２００】
0005890395.tif 000071
【０２０１】
以後、ステップＳ８１８からＳ８４５が進行された後、ＵＥ１、２は受信したＣＳ値でＯＣＣ値を＜表９＞のようなリンケージグループで類推する。また、ＯＣＣ値を算出したリンケージグループがＡ／Ｂ−１／Ｂ−２であるかを確認して、Ｂ−１、Ｂ−２の場合、直交性割当ルールを同一方式にして、残りのレイヤに対してＯＣＣ値を同一に設定する（Ｓ１０５０、Ｓ１０５５）。その結果、ＵＥ＃１ ８０１及びＵＥ＃２ ８０２は互いに異なるＯＣＣ値を有するようになってＯＣＣを通じて互いに区別できる。
【０２０２】
以後、各レイヤに対してＣＳ値とＯＣＣを適用して参照信号シーケンスを生成して基地局に送信するステップは、図８のステップＳ８６０〜Ｓ８９５と同一であるので、これに対する説明に代えようとする。
【０２０３】
＜表８＞は、図７乃至図１０で、ＵＥがＳＵ−ＭＩＭＯまたはＭＵ−ＭＩＭＯであるかを認知できない状態で別途のシグナリングなくても直交性割当ルールをＳＵ−ＭＩＭＯ及びＭＵ−ＭＩＭＯの環境に合うように選択する例に従って構成されたレイヤ別ＣＳ値とＯＣＣ値の構成を示す図である。
【０２０４】
【表８】
0005890395.tif 000072
【０２０５】
ＭＵ−ＭＩＭＯの場合、ＵＥ Ａはレイヤ別に同一なＯＣＣである［＋１、＋１］を有し、ＵＥ−ＢはＵＥ−Ａと異なる値をレイヤ別に同一なＯＣＣに［＋１、−１］を有する。
【０２０６】
図１１は、本明細書の一実施形態による直交性を指示するサイクリックシフトパラメータを送信する装置の構成に対する図である。
【０２０７】
図１１の構成はｅＮｏｄｅＢとすることができる。
【０２０８】
図１１に示す装置またはｅＮｏｄｅＢは、ユーザ端末構成状態判断部１１１０、直交性割当ルール決定部１１２０、サイクリックシフトパラメータ決定部１１３０、信号生成部１１５０、及び送受信部１１６０を含む。さらに、装置は、サイクリックシフト−直交性マッピング部１１４０をさらに含むことができる。
【０２０９】
ユーザ端末構成状態判断部１１１０は、１つ以上のユーザ端末、即ちＵＥの多重接続状態を判断する。ＵＥがＳＵ−ＭＩＭＯとして動作するようになるか、またはＭＵ−ＭＩＭＯとして動作するようになるかなどを判断する。
【０２１０】
直交性割当ルール決定部１１２０は、上記判断されたユーザ端末の多重接続状態に従って直交性割当ルールを決定する。前述したように、ユーザ端末が直交性割当ルールを上記参照信号シーケンスに対するホッピング方式に従って選択されるようにするかを判断して、ホッピング方式をＵＥが判断して選択するようになる直交性割当ルールを決定することができる。また、＜表９＞に提示された実施形態のように、ＵＥがサイクリックシフトパラメータの値を用いて類推できる直交性割当ルールを決定することができる。
【０２１１】
サイクリックシフトパラメータ決定部１１３０は、上記判断されたユーザ端末の多重接続状態に従って直交性と関連した情報及び上記決まった直交性割当ルールを算出できるサイクリックシフトパラメータを決定する。
【０２１２】
信号生成部１１５０は、上記決まったサイクリックシフトパラメータが含まれた制御情報を上記ユーザ端末に送信するための信号を生成し、送受信部１１６０は上記信号をユーザ端末に送信するようになる。
【０２１３】
サイクリックシフトパラメータ決定部１１３０は、上記判断されたＵＥの多重接続状態に従って直交性と関連した情報と直交性割当ルールを算出できるサイクリックシフトパラメータを決定することができる。
【０２１４】
先の図７及び図８の実施形態を適用する場合、ＵＥは直交性割当ルールをシーケンスホッピング方式を通じて確認することができる。上記ユーザ端末構成状態判断部１１１０は、ＵＥの多重接続状態がＳＵ−ＭＩＭＯとなった場合、上記ＵＥに割当できる全ての可能なサイクリックシフトパラメータのうちから選択することができる。これは、先の図７で説明した例を含む。一方、上記ユーザ端末構成状態判断部１１１０でＵＥの多重接続状態がＭＵ−ＭＩＭＯであり、第１のＵＥ、第２のＵＥを含むことと判断した場合、図８のようにサイクリックシフトパラメータを割り当てるに当たって、相異するグループまたは集合などに含まれたサイクリックシフトパラメータを選択して、互いに異なる直交性関連指示子を算出できるようにする。
【０２１５】
上記第１のＵＥが受信する第１サイクリックシフトパラメータ及び上記第２のＵＥが受信する第２サイクリックシフトパラメータを決定し、上記第１サイクリックシフトパラメータで算出される上記直交性と関連した第１情報は、上記第２サイクリックシフトパラメータで算出される上記直交性と関連した第２情報と相異するようにすることができる。
【０２１６】
先の図９及び図１０の実施形態を適用する場合、ＵＥは＜表９＞のようなリンケージグループを用いて直交性割当ルールと直交性関連情報を確認することができる。上記ユーザ端末構成状態判断部１１１０は、ＵＥの多重接続状態がＳＵ−ＭＩＭＯとなった場合、＜表９＞に提示されたグループＡのようにＳＵ−ＭＩＭＯ環境でＵＥに割当できるサイクリックシフトパラメータのうちから選択することができる。これは、先の図９で説明した例を含む。一方、上記ユーザ端末構成状態判断部１１１０でＵＥの多重接続状態がＭＵ−ＭＩＭＯであり、第１のＵＥ、第２のＵＥを含むことと判断した場合、図１０のようにサイクリックシフトパラメータを割り当てるに当たって、＜表９＞に提示されたグループＢのＢ−１、Ｂ−２のように相異するグループまたは集合などに含まれたサイクリックシフトパラメータを選択してＵＥが互いに異なる直交性関連指示子を算出するだけでなく、直交性割当ルールやはりグループＡとは異に選択できるようにする。
【０２１７】
0005890395.tif 000073
【０２１８】
一方、サイクリックシフトパラメータ決定部１１３０は、上記第１のＵＥに割り当てられた帯域と上記第２のＵＥに割り当てられた帯域とは同一でない場合に、互いに異なるＯＣＣインデックスを有するようにサイクリックシフトパラメータを決定することができる。
【０２１９】
そして、信号生成部１１５０は、上記決まったサイクリックシフトパラメータが含まれた制御情報を上記ＵＥに送信するための信号を生成する。この際、制御情報の一実施形態に、ＰＤＣＣＨに含まれるＤＣＩフォーマット０になることができる。そして、生成された信号は送受信部１１６０を通じてＵＥに送信する。
【０２２０】
0005890395.tif 000074
【０２２１】
また、上記サイクリックシフトパラメータは、ＰＤＣＣＨのような物理階層（Ｌ１）のシグナリングや、無線接続制御階層（ＭＡＣ：Ｌ２）のシグナリングや、ＲＲＣ（Radio Resource Control）シグナリング、またはメッセージのようなＬ３シグナリングを通じて転送できるが、それに限定されるものではなく、ＯＣＣインデックスやはり０、１の他にも３種類以上の値に設定できる。
【０２２２】
以上のような本発明の実施形態を利用すれば、アップリンクのＤＭ−ＲＳなどのような基準信号を転送するに当たって、ＬＴＥ−Ａで増加するアンテナ及び新たなＭＵ（Multi-User）ＭＩＭＯ、ＣｏＭＰ等の環境で、各ＵＥ（端末）または各基地局（セル）を考慮して、直交的に区分してマルチフレキシングしなければならない直交資源の数を増加させるために、別途に直交性に対する情報を送信せず、ＤＭ−ＲＳのＣＳ値（α）を設定するパラメータの値をそのままに送信して直交性を満たすことができるので、既存のＬＴＥとの互換性（backward compatibility）を維持しながらも互換性のために既存のＬＴＥでの基本サイクリックシフトパラメータを使用することができるという効果がある。特に、ＵＥがＳＵ−ＭＩＭＯかＭＵ−ＭＩＭＯかによってＯＣＣの役割が異なるので、各々のネットワーク接続環境に合うようにＯＣＣを割り当てることができるので、参照信号シーケンスの間の直交性（orthogonality）を保証し、干渉を減らすことができる効果がある。
【０２２３】
図１２は、本明細書の一実施形態による直交性を指示するサイクリックシフトパラメータを受信して直交性を満たす参照信号を送信する装置の構成に対する図である。
【０２２４】
図１２の装置はＵＥとすることができる。
【０２２５】
図１２に示す装置またはＵＥは、受信部１２１０、サイクリックシフトパラメータ抽出部１２２０、直交性関連情報算出部１２３０、直交性割当ルール選択部１２４０、レイヤ別情報算出部１２５０、参照信号生成部１２６０、及び送信部１２７０を含む。
【０２２６】
受信部１２１０は、基地局から制御情報を受信する。制御情報を含む無線信号を受信することを含む。上記制御情報は、ＰＤＣＣＨに乗せて送信できる。
【０２２７】
0005890395.tif 000075
【０２２８】
上記直交性関連情報算出部１２３０は、上記受信した第１レイヤに対するサイクリックシフトパラメータで第１レイヤに対する直交性と関連した情報を算出する。これは、受信した上記第１レイヤに対するサイクリックシフトパラメータを所定の関数またはマッピング関係などにより算出できる。上記第１レイヤに対する直交性と関連した情報は、その例として直交性カバーコード（orthogonality cover code）を指示する情報であるＯＣＣインデックスとなることができる。
【０２２９】
例えば、ＣＳ−ＯＣＣカバレッジグループのように、上記受信した第１レイヤに対するサイクリックシフトパラメータが特定サイクリックシフトパラメータグループに属する場合、この特定サイクリックシフトパラメータグループと連係されたＯＣＣインデックスから直交性と関連した情報を算出することができる。したがって、１つのＯＣＣと多数のサイクリックパラメータを含む１つのサイクリックシフトパラメータグループがマッピングされる場合、該当グループに含まれた全てのサイクリックシフトパラメータから１つのＯＣＣを算出することができる。これは、先の＜表５＞または＜表９＞に提示されたＣＳ−ＯＣＣリンケージグループで説明した事項である。
【０２３０】
直交性割当ルール選択部１２４０は、上記残りのレイヤの直交性と関連した情報を算出することに適用する直交性割当ルールを選択する。より詳しくは、図７及び図８のように、現在シーケンスホッピング方式を判断して、ホッピング方式がスロット単位でホッピングする方式の場合、上記直交性割当ルール選択部１２４０は、上記第１レイヤの直交性に関連した情報から上記残りのレイヤに対して交差または両分方式を適用して直交性に関連した情報を算出するように指示する直交性割当ルールを選択する。また、上記ホッピング方式がスロット単位でホッピングする方式でない場合、上記直交性割当ルール選択部１２４０は、上記第１レイヤの直交性に関連した情報から上記残りのレイヤに対して同一方式を適用して直交性に関連した情報を算出するように指示する直交性割当ルールを選択することができる。
【０２３１】
一方、図９及び図１０のように、＜表７＞を参照してサイクリックシフトパラメータがどのグループに属するかを確認して、関連する直交性割当ルールを選択することができる。
【０２３２】
レイヤ別情報算出部１２５０は、上記第１レイヤに対するサイクリックシフトパラメータで第Ｋレイヤに対するサイクリックシフトパラメータを算出し、上記第１レイヤに対する直交性と関連した情報に上記選択された直交性割当ルールを適用して直交性と関連した第Ｋレイヤに対する直交性と関連した情報を算出するようになる。ここで、Ｋは各ＵＥ別に割り当てられた総レイヤの数をＮとすれば、総Ｎ個のレイヤでＫ番目のレイヤを意味し、Ｎは１以上の自然数である。
【０２３３】
即ち、該当ユーザ端末が使用するレイヤの個数によって干渉を最も減らすことができるように、第２、３、...などのレイヤに対してサイクリックシフトパラメータを算出することができる。また、直交性と関連した情報やはり第１レイヤを基準にレイヤ別に算出することができる。
【０２３４】
参照信号の生成に必要とする情報を算出した以後、参照信号生成部１２６０は参照信号を生成する。参照信号の一実施形態はＤＭ−ＲＳとなる。より詳しくは、参照信号生成部１２６０は、上記第１レイヤに対するサイクリックシフトパラメータ及び上記第１レイヤに対する直交性と関連した情報を用いて上記第１レイヤに対する参照信号を生成し、上記Ｋレイヤに対するサイクリックシフトパラメータ及び上記Ｋレイヤに対する直交性と関連した情報を用いて上記第Ｋレイヤに対する参照信号を生成する。ここで、Ｋは各ＵＥ別に割り当てられた総レイヤの数をＮとすれば、総Ｎ個のレイヤでＫ番目のレイヤを意味し、Ｎは１以上の自然数である。
【０２３５】
参照信号の生成の一実施形態は、各々のレイヤに対してサイクリックシフト（ＣＳ）と前述したベースシーケンス、そしてＯＣＣ等を通じて＜数式１＞、＜数式２＞のように算出することができる。
【０２３６】
0005890395.tif 000076
【０２３７】
したがって、参照信号生成部１２６０は独立的な構成で具現されることもできるが、場合によって既存のＵＥの構成要素であるスクランブラー（Scrambler）、モジュレーションマッパー（Modulation Mapper）、変換プリコーダー（Transform Precoder）、リソースエレメントマッパー（Resource element mapper）、及びＳＣ−ＦＤＭＡ信号生成器（Single-Carrier FDMA Signal Generator）と共に具現できる。
【０２３８】
上記生成された参照信号は、送信部１２７０を通じてｅＮｏｄｅＢに送信される。
【０２３９】
図１２の構成を通じてＵＥがＳＵ−ＭＩＭＯの場合、レイヤ間の最大干渉を減らすようにサイクリックシフトパラメータとＯＣＣ値を通じてＵＬ ＤＭ−ＲＳを生成して送信することができる。また、ＵＥがＭＵ−ＭＩＭＯの場合にもレイヤ間、そしてＵＥ間の最大干渉を減らすようにサイクリックシフトパラメータとＯＣＣ値を通じてＵＬ ＤＭ−ＲＳを生成することができる。サイクリックシフトパラメータがＵＥに互いに直交性を維持するＯＣＣに対する情報及び直交性割当ルールを提供するので、ＳＵ−ＭＩＭＯの環境下にはＵＥのレイヤ間にＯＣＣを異にして直交性を保証し、ＭＵ−ＭＩＭＯの環境下ではＵＥ別にＯＣＣを異にして直交性を保証することができる。また、ＵＥにＬＴＥシステムと別途のシグナリングを進行するものでないので、互換性も満たす。
【０２４０】
前述した参照信号生成部１２６０は、ＳＣ−ＦＤＭＡ信号生成器の内部に、またはそれと連動して具現されることもできる。
【０２４１】
また、図示してはいないが、図７乃至図１０の実施形態を適用するための装置は、図１２の構成要素の以外に、アンテナ個数（あるいは、必要な転送レイヤの個数）を把握するアンテナ（あるいは、レイヤ）個数確認部をさらに具備することができ、この場合、参照信号生成部１２６０はアンテナ（あるいは、レイヤ）別ＤＭ−ＲＳシーケンスを生成することもできる。
【０２４２】
本開示では、アップリンク（Uplink：ＵＬ）復調参照信号（Demodulation Reference Signal：ＤＭ−ＲＳ）の各レイヤ（layer）での循環遅延（Cyclic Shift：ＣＳ）値及びＯＣＣ（Orthogonal Cover Code）割当方法及びその装置において、上位段でスケジューリング（scheduling）されて決まった最初のレイヤ（layer）に循環遅延（Cyclic Shift：ＣＳ）値を、ｅＮｏｄｅＢを通じて端末（ＵＥ）に 下げてくれれば（シグナリング（signaling）してくれれば）、その値から他のレイヤ（layer）の循環遅延（Cyclic Shift：ＣＳ）値及び各レイヤ（layer）のＯＣＣを割り当てる方法及び装置を提供する。特に、端末の接続状態がＳＵ−ＭＩＭＯか、またはＭＵ−ＭＩＭＯかによってＣＳ値及びＯＣＣ値の割当を異にし、またレイヤ別にＯＣＣを割り当てる直交性割当ルールを異に適用できるようにして、ＳＵ−ＭＩＭＯではＯＣＣが各々のレイヤを区分する役割をし、ＭＵ−ＭＩＭＯではＯＣＣが各々のＵＥを区分する役割をすることができるようにする。また、直交性割当ルールやはり別途の情報を形成する追加的なシグナリング（signaling）無しで、ＬＴＥ−Ａシステムなどでの多数個のレイヤに対するＵＬ ＤＭ−ＲＳ転送を可能にしようとする。
【０２４３】
当業者には、本発明の要旨または技術的範囲から外れることなく、本発明に様々な変形や変更を行うことができることは明白である。したがって、添付の請求項およびその均等物の範囲内であれば、本発明のこれらの変形や変更を含むことが意図される。
【０２４４】
関連する出願について
この出願は、２０１０年３月３日に出願された韓国特許出願第１０−２０１０−００４１４０３号についての優先権を主張しており、米国特許法１１９条の利益をうけ、この出願の内容全てが参照により取り込まれる。
【図１】
0005890395.tif 000078
【図２】
0005890395.tif 000079
【図３】
0005890395.tif 000080
【図４】
0005890395.tif 000081
【図５】
0005890395.tif 000082
【図６】
0005890395.tif 000083
【図７】
0005890395.tif 000084
【図８】
0005890395.tif 000085
【図９】
0005890395.tif 000086
【図１０】
0005890395.tif 000087
【図１１】
0005890395.tif 000088
【図１２】
0005890395.tif 000089